(57)【要約】【課題】ファンが起動したときの冷風または温風による不快感（ドラフト感）を解消することが可能なサーキュレータの設置方法およびサーキュレータを提供する。【解決手段】サーキュレータ１は、床面Ｆ上に設置され、部屋の側壁面Ｗ１の近傍に配置されて用いられ、吸込口１２２と吹出口１３１と送風機１７０とを備える。吹出口１３１の中央位置から部屋の側壁面Ｗ１までの距離をＬ［ｍｍ］、吹出口１３１の中央位置から部屋の天井面までの距離をＨ［ｍｍ］とし、距離Ｌが１００＜Ｌ＜６００の範囲で選ばれた位置にサーキュレータ１が配置されて用いられるときに、吹出口１３１から送り出される空気を最初に室内の側壁面Ｗ１に到達させるために、吹出口１３１から送り出される空気の流れる方向が鉛直上方向に対してなす角度θ［°］をｔａｎ−１（Ｌ／Ｈ）＜θ≦３５の範囲に設定するように配置される。【選択図】図１
2009250550.tif 000002
【特許請求の範囲】
【請求項１】
床上または卓上に設置され、部屋の側壁面の近傍に配置されて用いられるサーキュレータの設置方法であって、
前記サーキュレータは、本体と、
前記本体に設けられ、室内の空気を取り入れるための吸込口と、
前記本体に設けられ、取り入れた空気を室内に送り出すための吹出口と、
前記本体に設けられ、前記吸込口から前記吹出口まで空気を移動させるための送風手段とを備え、
前記吹出口の中央位置から対向する最寄りの部屋の側壁面までの距離をＬ［ｍｍ］、前記吹出口の中央位置から部屋の天井面までの距離をＨ［ｍｍ］とし、距離Ｌが１００＜Ｌ＜６００の範囲で選ばれた位置に当該サーキュレータが配置されて用いられるときに、前記吹出口から送り出される空気を最初に室内の側壁面に到達させるために、前記吹出口から送り出される空気の流れる方向が鉛直上方向に対してなす角度θ［°］をｔａｎ−１（Ｌ／Ｈ）＜θ≦３５の範囲に設定する、サーキュレータの設置方法。
【請求項２】
前記サーキュレータは、前記送風手段から前記吹出口に至るまで空気が流れる吹出流通路をさらに備え、
前記吹出流通路が部屋の側壁面に向かう方向に傾斜するように前記サーキュレータを配置する、請求項１に記載のサーキュレータの設置方法。
【請求項３】
前記サーキュレータは、前記送風手段から前記吹出口に至るまで空気が流れる吹出流通路をさらに備え、
前記吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するように前記サーキュレータを配置する、請求項１に記載のサーキュレータの設置方法。
【請求項４】
前記吸込口および／または吹出口を部屋の側壁面に対向するように配置する、請求項１から請求項３までのいずれか１項に記載のサーキュレータの設置方法。
【請求項５】
前記吹出口から送り出される空気の風量をＱ［ｍ３／ｍｉｎ］、部屋の床の面積をＡ［ｍ２］としたとき、Ｑ／Ａ＜０．３５を満たす部屋で用いられる、請求項１から請求項４までのいずれか１項に記載のサーキュレータの設置方法。
【請求項６】
床上または卓上に設置され、部屋の側壁面の近傍に配置されて用いられるサーキュレータであって、
本体と、
前記本体に設けられ、室内の空気を取り入れるための吸込口と、
前記本体に設けられ、取り入れた空気を室内に送り出すための吹出口と、
前記本体に設けられ、前記吸込口から前記吹出口まで空気を移動させるための送風手段と、
前記送風手段から前記吹出口に至るまで空気が流れる吹出流通路とを備え、
前記吹出口の中央位置から対向する最寄りの部屋の側壁面までの距離をＬ［ｍｍ］、前記吹出口の中央位置から部屋の天井面までの距離をＨ［ｍｍ］とし、距離Ｌが１００＜Ｌ＜６００の範囲で選ばれた位置に当該サーキュレータが配置されて用いられるときに、前記吹出口から送り出される空気を最初に室内の側壁面に到達させるために、前記吹出口から送り出される空気の流れる方向が鉛直上方向に対してなす角度θ［°］をｔａｎ−１（Ｌ／Ｈ）＜θ≦３５の範囲に設定することができるように、
前記吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するように前記吹出流通路が構成されている、サーキュレータ。
【請求項７】
前記送風手段はシロッコファンを含み、このシロッコファンの高さをｔとしたとき、前記吹出流通路を形成する壁面のうち、部屋の側壁面から最も遠い位置に配置される壁面において、鉛直方向に対して傾斜する方向に延びる壁面の長さがｔ／ｓｉｎθ以上である、請求項６に記載のサーキュレータ。
【請求項８】
鉛直上方向に対して傾斜する２面で挟まれた前記吹出流通路の幅は、前記吹出口に近づくほど縮小する、請求項６または請求項７に記載のサーキュレータ。
【請求項９】
前記吹出流通路の断面積は、前記吹出口に近づくほど所定の割合で拡大する、請求項６から請求項８までのいずれか１項に記載のサーキュレータ。
【請求項１０】
当該サーキュレータを操作するための操作部をさらに備え、
前記吸込口が前記本体の後面に配置され、前記吹出口が前記本体の頂面に配置され、前記操作部は前記本体の前面側に配置される、請求項６から請求項９までのいずれか１項に記載のサーキュレータ。
【請求項１１】
前記本体に設けられ、前記吸込口から取り入れられた空気中に存在する塵埃、および／または、物質を除去する除去手段をさらに備える、請求項６から請求項１０までのいずれか１項に記載のサーキュレータ。
【発明の詳細な説明】
【技術分野】
【０００１】
この発明は、一般的にはサーキュレータ（空気循環機）に関し、特定的には床上または卓上に配置されるサーキュレータとサーキュレータの設置方法に関する。
【背景技術】
【０００２】
従来、オフィスなどの対象空間で空気調和機を運転したときに、対象空間の上下方向または水平方向において温度ムラが生じることがある。温度ムラは、対象空間に居る者へ不快感を与える原因になる。このような対象空間の温度ムラを減少させるために、対象空間の空気を強制的に攪拌または循環させるサーキュレータが従来より用いられている。サーキュレータの始動および停止、ならびに風量の制御は、通常、手動操作によって行われているが、温度ムラの客観的な情報に基づいて合理的な運転を行うことができないという問題がある。たとえば、風速または風量が少ない状態で運転を行うと、温度ムラがなかなか解消されない。また、局所的に不快なところが残るので、設定温度の緩和を行うことができず、省エネルギー運転につながらないという問題がある。一方、風速または風量が多過ぎると、上述の問題は解消できるが、ファン風速または風量の増加により「ゴー」という騒音がファンから発生する。この騒音は、耳障りというだけでなく、ストレスの一つになるので、長時間、聞いていると疲労の蓄積を進行させるという問題がある。
【０００３】
そこで、これらの問題を解消するために、温度ムラが発生しているときに風速または風量を増やすことにより、快適性および省エネルギーの推進を図り、一方、温度ムラが解消されれば風速または風量を減らすことにより、騒音を低減し、さらに無駄なファンの運転を防止することによる省エネルギーの推進を図ることができるサーキュレータおよびその運転制御方法が従来に提案されている。
【０００４】
たとえば、特開平８−２７０９９２号公報（特許文献１）に記載されたサーキュレータでは、赤外線センサなどの温度センサを用いて室内の天井付近および床付近の温度をそれぞれ測定し、上下２点の温度またはその温度差に基づいて風速または風量を制御している。
【０００５】
特開２００１−２５４９８１号公報（特許文献２）に記載されたサーキュレータでは、暖房装置と連動して、サーキュレータから発生する風による不快感（いわゆる冷風感）を感じない所定温度以上において、室内の上下温度差に基づいてサーキュレータの運転および停止の制御を行っている。
【０００６】
特開平１１−８３１０３号公報（特許文献３）に記載されたサーキュレータは、居室者に対して風が直接当たらないように風を上から吹き出すものであり、床側温度と天井側温度との温度差により送風機の駆動を制御している。さらに、体感風を低減するために、風速または風量をサインカーブなどの周期的に変化させたりすることによって強弱の変化を与えている。
【０００７】
なお、上記に挙げた文献以外にも、多数の様々な工夫がなされたサーキュレータが各種提案されている。
【０００８】
たとえば、図３０と図３１は、従来のサーキュレータの一例を模式的に示す側面断面図である。
【０００９】
図３０に示すように、従来のサーキュレータ１０の本体は筐体１０００によって保持されている。筐体１０００は床面Ｆの上に設置され、前面（正面）１１００と後面（背面）１２００と頂面（天面）１３００と、床面Ｆの面に接触する底面１４００とを有する。筐体１０００の前面１１００側はパネル１１１０にて覆われ、パネル１１１０に対向する位置に吸込口１１２０が設けられている。筐体１０００は、後面１２００側を部屋の側壁面Ｗ１に対向して側壁面Ｗ１から３００ｍｍ程度の間隔を設けて床面Ｆの上に設置される。筐体１０００の頂面１３００には、吹出口１３１０が設けられている。吹出口１３１０は筐体１０００の幅方向に延びる略矩形状に形成され、鉛直上方に臨んで設けられる。筐体１０００の内部には、吸込口１１２０から吹出口１３１０に連通する吸込流通路１６００および吹出流通路１８００とからなる送風経路が形成されている。送風経路内には空気を送出する送風機１７００が配置されている。送風機１７００に用いられるファンとしてはシロッコファン１７１０が用いられる。パネル１１１０に対向する位置には、吸込口１１２０から吸い込まれた空気中に存在する塵埃、および／または、臭気（汚染物質）を捕集・除去するエアフィルタ１５００が設けられている。なお、エアフィルタ１５００は設置されなくてもよい。
【００１０】
なお、図３１に示す従来のサーキュレータ２０では、筐体１０００の頂面１３００には操作部１９００が設けられ、操作部１９００の下で筐体１０００の内部には制御基板１９２０が設けられている。また、筐体１０００の後面１２００側の下部には、送風機１７００の下に電源基板１９３０が設けられている。図３０と同様の部材には同一の符号を用いて説明を省略する。
【００１１】
上記構成のサーキュレータにおいて、運転を開始すると、図３０と図３１に示すように、シロッコファン１７１０が回転駆動され、吸込口１１２０から矢印Ｕで示される方向に空気が吸い込まれ、エアフィルタ１５００によって、空気中に存在する塵埃、および／または、臭気（汚染物質）が除去される。筐体１０００内の吸込流通路１６００に取り込まれ、エアフィルタ１５００によって塵埃が除去された空気は、吹出流通路１８００を流通して吹出口１３１０から矢印Ｖに示される方向に鉛直上方に向けて室内に送り出される。室内に送り出された空気は、部屋の天井面に到達し、部屋内を流通してサーキュレータ１０の吸込口１１２０に吸い込まれる。エアフィルタ１５００がない場合には、吸込口１１２０からサーキュレータ１０内に吸い込まれた空気は、そのまま吹出口１３１０から室内に送り出される。
【特許文献１】特開平８−２７０９９２号公報
【特許文献２】特開２００１−２５４９８１号公報
【特許文献３】特開平１１−８３１０３号公報
【発明の開示】
【発明が解決しようとする課題】
【００１２】
しかしながら、上記従来のサーキュレータでは、ファン起動時における居室者の体感を考慮してファン風速または風量を制御していないという問題がある。すなわち、上下温度差などによる温度ムラを解消するためにサーキュレータのファンが自動的に起動する際、風が急に吹き出すことによって風が人体に当たることによって感じる冷風または温風による不快感（いわゆるドラフト感）を生じさせるという問題がある。
【００１３】
そこで、この発明の目的は、ファンが起動したときの冷風または温風による不快感（ドラフト感）を解消することが可能なサーキュレータの設置方法、および、ファンが起動したときの冷風または温風による不快感（ドラフト感）を解消することが可能なサーキュレータを提供することである。
【課題を解決するための手段】
【００１４】
この発明に従ったサーキュレータの設置方法は、床上または卓上に設置され、部屋の側壁面の近傍に配置されて用いられるサーキュレータの設置方法であって、サーキュレータは、本体と、本体に設けられ、室内の空気を取り入れるための吸込口と、本体に設けられ、取り入れた空気を室内に送り出すための吹出口と、本体に設けられ、吸込口から吹出口まで空気を移動させるための送風手段とを備え、吹出口の中央位置から対向する最寄りの部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該サーキュレータが配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【００１５】
このようにサーキュレータが設置されることにより、床上または卓上に設置され、部屋の側壁面の近傍に配置されるサーキュレータにおいて、吹出口から空気を、鉛直上方に対して所定の角度で送り出して部屋の側壁面に到達させ、次に、その空気を部屋の側壁面に沿わせて流通させ、さらに、天井、他の側壁面に沿わせて部屋内に空気を循環させ、部屋内の空気を吸込口から吸引するように、空気の吹出し気流の角度が設定される。この構成によると、吹出口から送り出される気流が直ちにサーキュレータに吸引される気流が少なくなるとともに、吹出口から送出される気流の横方向への広がりが抑制されるため、気流の到達距離が大幅に延長され、部屋内でサーキュレータから遠い位置における風速が大幅に増加する。
【００１６】
その結果、部屋内でサーキュレータから遠い位置における空気環境の改善効果を高めることができ、広範囲の室内空気の温度ムラを効果的に減少させることができる。また、無駄に送り出されていた気流を減らすことができるため、少ない風量でも所望の空気環境の改善効果を得ることができる。少ない風量で同一の空気環境の改善効果が実現可能であるため、消費電力、及び騒音を低減することができる。
【００１７】
このようにすることにより、ファンが起動したときの冷風または温風による不快感（ドラフト感）を解消することが可能なサーキュレータの設置方法を提供することができる。
【００１８】
この発明に従ったサーキュレータの設置方法においては、サーキュレータは、送風手段から吹出口に至るまで空気が流れる吹出流通路をさらに備え、吹出流通路が部屋の側壁面に向かう方向に傾斜するようにサーキュレータを配置することが好ましい。
【００１９】
このようにすることにより、サーキュレータの吹出口の位置で気流を部屋の側壁面側に曲げる角度を小さくすることができる。このため、吹出流通路の圧力損失が低減し、消費電力が改善されるとともに騒音が低減される。さらに、吹出口から発生する音が直接使用者の居住領域へ伝播されないので、室内空気の温度ムラを効果的に減少させるとともに、低騒音化することができる。
【００２０】
この発明に従ったサーキュレータは、送風手段から吹出口に至るまで空気が流れる吹出流通路をさらに備え、吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するようにサーキュレータを配置することが好ましい。
【００２１】
このように構成することにより、サーキュレータの吹出口の位置で気流を部屋の側壁面側に曲げる必要がない。このため、吹出流通路の圧力損失がさらに低減し、消費電力がより改善されるとともに騒音がより低減される。さらに、吹出口から発生する音が直接使用者の居住領域へ伝播されないので、室内空気の温度ムラを効果的に減少させるとともに、低騒音化することができる。
【００２２】
この発明に従ったサーキュレータの設置方法は、吸込口および／または吹出口を部屋の側壁面に対向するように配置することが好ましい。
【００２３】
このように構成することにより、吸込口、および／または、吹出口から発生する音が直接使用者の居住領域へ伝播されないので、室内空気の温度ムラを効果的に減少させるとともに、低騒音化することができる。
【００２４】
この発明に従ったサーキュレータの設置方法は、吹出口から送り出される空気の風量をＱ［ｍ３／ｍｉｎ］、部屋の床の面積をＡ［ｍ２］としたとき、Ｑ／Ａ＜０．３５を満たす部屋で用いられることが好ましい。
【００２５】
このように構成することにより、吹出口から送り出された気流が部屋の壁面に沿い、到達距離が延長されるので、上述した作用効果を確実に得ることができる。
【００２６】
この発明に従ったサーキュレータは、床上または卓上に設置され、部屋の側壁面の近傍に配置されて用いられるサーキュレータであって、本体と、本体に設けられ、室内の空気を取り入れるための吸込口と、本体に設けられ、取り入れた空気を室内に送り出すための吹出口と、本体に設けられ、吸込口から吹出口まで空気を移動させるための送風手段と、送風手段から吹出口に至るまで空気が流れる吹出流通路とを備え、吹出口の中央位置から対向する最寄りの部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該サーキュレータが配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定することができるように、吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するように吹出流通路が構成されている。
【００２７】
このように構成することにより、サーキュレータの吹出口の位置で気流を部屋の側壁面側に曲げる必要がない。このため、吹出流通路の圧力損失がさらに低減し、消費電力がより改善されるとともに騒音がより低減される。さらに、吹出口から発生する音が直接使用者の居住領域へ伝播されないので、室内空気の温度ムラを効果的に減少させるとともに、低騒音化することができる。
【００２８】
このようにすることにより、ファンが起動したときの冷風または温風による不快感（ドラフト感）を解消することが可能なサーキュレータを提供することができる。
【００２９】
この発明に従ったサーキュレータにおいては、送風手段はシロッコファンを含み、このシロッコファンの高さをｔとしたとき、吹出流通路を形成する壁面のうち、部屋の側壁面から最も遠い位置に配置される壁面において、鉛直方向に対して傾斜する方向に延びる壁面の長さがｔ／ｓｉｎθ以上であることが好ましい。
【００３０】
このように構成することにより、吸込口、および／または、吹出口から発生する音が直接使用者の居住領域へ伝播されないので、室内空気の温度ムラを効果的に減少させるとともに、低騒音化することができる。
【００３１】
この発明に従ったサーキュレータにおいては、鉛直上方向に対して傾斜する２面で挟まれた吹出流通路の幅は、吹出口に近づくほど縮小することが好ましい。
【００３２】
すなわち、吹出流通路の奥行寸法は、吹出口に近づくほど、すなわち、気流の下流に行くほど、縮小し、吹出流通路は絞られた形状を有することが好ましい。
【００３３】
このように構成することにより、吹出流通路が絞られた形状を有するので、吹出流通路の断面積のアスペクト比が高くなり、それに伴い吹出口から送出される気流の断面のアスペクト比も高くなる。このとき、気流の流通する断面積が同じでも壁面に接する割合が増大するため、周囲の気流の影響を受けにくくなる。このため、流れが収束するので、気流のポテンシャルコアが延長され、それにより気流の到達距離が延長される。すなわち、上記の構成により、運動エネルギーが静圧に変換されて流速の低下した気流の到達距離を延長することができる。
【００３４】
この発明に従ったサーキュレータにおいては、吹出流通路の断面積は、吹出口に近づくほど所定の割合で拡大することが好ましい。
【００３５】
このように構成することにより、吹出流通路の壁面に沿う気流の剥離が抑制される。このため、流路抵抗が小さく、気流の運動エネルギーは効率良く静圧に変換される。すなわち、送風手段としての送風機（ファン）の受け持つ仕事である静圧上昇の一部が、上記の、運動エネルギーが変換されることにより生み出される静圧によってまかなわれるため、送風機（ファン）の仕事に必要となるエネルギーが少なくてすみ、少ない消費電力で所望の仕事をさせることができる。
【００３６】
この発明に従ったサーキュレータは、当該サーキュレータを操作するための操作部をさらに備え、吸込口が本体の後面に配置され、吹出口が本体の頂面に配置され、操作部は本体の前面側に配置されることが好ましい。
【００３７】
このように構成することにより、操作部が本体の前面側に配置され、吸込口が本体の後面に配置されているので、使用者が無意識のうちに吸込口を部屋の側壁面側に向けて配置するように、使用者に当該サーキュレータを設置させることができる。
【００３８】
本体に設けられ、吸込口から取り入れられた空気中に存在する塵埃、および／または、物質を除去する除去手段をさらに備えることが好ましい。
【００３９】
このようにすることにより、吸込口から吸い込まれた空気中に存在する塵埃等の物質を除去して、清浄化された空気を室内に送り出すことができる。
【発明の効果】
【００４０】
以上のようにこの発明によれば、部屋内でサーキュレータから遠い位置における空気環境の改善効果を高めることができ、広範囲の室内空気の温度ムラを効果的に減少させることができる。また、無駄に送り出されていた気流を減らすことができるため、少ない風量でも所望の空気環境の改善効果を得ることができる。少ない風量で同一の空気環境の改善効果が実現可能であるため、消費電力、及び騒音を低減することができる。
【発明を実施するための最良の形態】
【００４１】
以下、この発明の実施の形態を図面に基づいて説明する。
【００４２】
（第１の実施形態）
（実施形態１−１）
以下に本発明の実施形態１−１について図面を参照して説明する。図１は本実施形態のサーキュレータを模式的に示す側面断面図である。図２は、図１に示されるサーキュレータの吹出流通路を拡大して示す部分側面断面図である。図３は、図２のＩＩＩＡ方向から見た吹出流通路を示す断面図（Ａ）と、図２の吹出流通路において角度関係を示す断面図（Ｂ）である。
【００４３】
図１に示すように、サーキュレータ１は、床面Ｆの上または卓上に設置され、部屋の側壁面Ｗ１の近傍に配置されて用いられるサーキュレータである。サーキュレータ１は、本体と、この本体に設けられ、室内の空気を取り入れるための吸込口１２２と、本体に設けられ、空気を室内に送り出すための吹出口１３１と、本体に設けられ、吸込口１２２から吹出口１３１まで空気を移動させるための送風手段としての送風機１７０を備えている。
【００４４】
サーキュレータ１の本体は筐体１００によって保持されている。筐体１００は床面Ｆの上に設置され、前面（正面）１１０と後面（背面）１２０と頂面（天面）１３０と、床面Ｆに接触する底面１４０とを有する。筐体１００の後面１２０は多数の格子状の吸込口１２２が設けられた穴あきパネル１２１にて覆われている。ここで、鉛直上方から見て、空気が矢印Ｖで示される方向に送り出される側のサーキュレータ１の側面を後面１２０側、その反対側を前面１１０側とする。
【００４５】
筐体１００は、後面１２０側を部屋の側壁面Ｗ１に対向させて側壁面Ｗ１から、たとえば、３００ｍｍの間隔を設けて床面Ｆの上に設置される。筐体１００の頂面１３０には、吹出口１３１が設けられている。吹出口１３１は筐体１００の幅方向に延びる略矩形状に形成され、後方上方に臨んで設けられている。
【００４６】
筐体１００の内部には、吸込口１２２から吹出口１３１に連通する吸込流通路１６０および吹出流通路１８０とからなる送風経路が形成されている。送風経路内には空気を送出する送風機１７０が配置されている。送風機１７０に用いられるファンとしては、シロッコファン１７１が用いられる。送風経路のうち、シロッコファン１７１の下流側には、シロッコファン１７１から吹出口１３１に至るまで空気が流れる吹出流通路１８０が形成されている。吹出流通路１８０によって、シロッコファン１７１により送出される空気を後方上方に案内する。吹出流通路１８０の断面積は、吹出口１３１に近づくほど、下流に行くほど拡大する。図２に示すように、吹出流通路１８０は、送風機１７０から吹出口１３１に連通し、上方案内部１８０ａと、傾斜部１８０ｂと、後方上方案内部１８０ｃから形成される。
【００４７】
図２に示すように、前壁１８１は、上方案内部１８０ａの終端１８１ａを始点とし、傾斜部１８０ｂの前面１８１ｂを経て、傾斜部１８０ｂの終端１８１ｃにて後方上方案内部１８０ｃに接続し、その接続部として終端１８１ｃから吹出口１３１に至るまで上方へ行くほど後方になるように傾斜して形成された後方上方傾斜部１８１ｄを経て、筐体１００の頂面１３０との交点１８１ｅを終点とするように形成される。なお、前壁１８１の流れに沿う方向の長さ（始点：１８１ａから終点：１８１ｅまでの長さ）は、シロッコファン１７１の高さをｔとすると、たとえば、４．１ｔに設定される。また、筐体１００の頂面１３０と前壁１８１との交点１８１ｅは、上方案内部１８０ａの終端１８２ａより後方になるように設定される。
【００４８】
後壁１８２は、上方案内部１８０ａの終端１８２ａを始点とし、傾斜部１８０ｂの後面１８２ｂを経て、傾斜部１８０ｂの終端１８２ｃにて後方上方案内部１８０ｃに接続し、その接続部として終端１８２ｃから吹出口１３１に至るまで上方へ行くほど後方になるように傾斜し、なおかつ、上方へ行くほど前壁１８１との間の間隔を狭め、流路断面が絞られるように形成された後方上方傾斜部１８２ｄを形成し、筐体１００の頂面１３０との交点１８２ｅを終点とするように形成される。なお、後壁１８２の流れに沿う方向の長さ（始点：１８２ａから終点：１８２ｅまでの長さ）は、シロッコファン１７１の高さをｔとすると、たとえば、３．８ｔに設定される。
【００４９】
送風経路を構成する吹出流通路１８０は、図３に示すように設定される。すなわち、上方案内部１８０ａおよび傾斜部１８０ｂは奥行寸法一定で、その流路開き角α１は２０°、後方上方案内部１８０ｃの流路開き角α２は４０°、上方案内部１８０ａと傾斜部１８０ｂの接する面と、傾斜部１８０ｂと後方上方案内部１８０ｃの接する面のなす角（側断面と地面に垂直な面と前壁のなす角）βは２０°、後方上方案内部１８０ｃの前面側の後方上方傾斜部１８１ｄと後面側の後方上方傾斜部１８２ｄとのなす角γは８°に設定される。また、上方案内部１８０ａと傾斜部１８０ｂの接合部、傾斜部１８０ｂと後方上方案内部１８０ｃの接合部はそれぞれ接するように接合されるか、曲面で接合部を滑らかに繋いで構成される。なお、上記のα１は１０〜３０°程度、βは１５〜３５°程度、γは０〜１５°程度に設定されるのが望ましい。このようにすることで、各部における気流の剥離が最小限に抑えられ、流路抵抗が大幅に増大することなく滑らかに気流が流通する。
【００５０】
また、筐体１００の後面１２０側を部屋の側壁面Ｗ１に対向して側壁面Ｗ１から１００ｍｍの間隔を設けて床面Ｆに設置される場合は、βが１０〜２５°程度に設定されるのが望ましい。
【００５１】
穴あきパネル１２１に対向する位置には、吸込口１２２から吸い込まれた空気中に存在する塵埃、および／または、臭気（汚染物質）を捕集・除去する除去手段としてエアフィルタ１５０が設けられてもよい。送風経路中のシロッコファン１７１とエアフィルタ１５０との間の吸込流通路１６０には、加湿装置（図示せず）が設けられてもよい。送風経路中のシロッコファン１７１と吹出口１３１との間の吹出流通路１８０には、イオン発生装置（図示せず）が設けられてもよい。図１に示すサーキュレータ１にはエアフィルタ１５０が備えられているが、エアフィルタ１５０は設置されていなくてもよい。
【００５２】
このように、サーキュレータ１は、筐体１００に設けられ、吸込口１２２から取り入れられた空気中に存在する塵埃、および／または、物質を除去するエアフィルタ１５０をさらに備えることが好ましい。
【００５３】
このようにすることにより、吸込口１２２から吸い込まれた空気中に存在する塵埃等の物質を除去して、清浄化された空気を吹出口１３１から室内に送り出すことができる。
【００５４】
上記のように構成されたサーキュレータ１において、運転を開始すると、図１に示すように、送風機１７０のシロッコファン１７１が回転駆動され、吸込口１２２から空気が吸い込まれる。
【００５５】
筐体１００内に取り込まれた空気は、シロッコファン１７１および吹出流通路１８０によって流れの向きを規制され、吹出流通路１８０の傾斜部１８０ｂから上方へ行くほど後方に傾斜した前壁１８１に滑らかに沿って、図１にて矢印Ｖに示す方向に後方上方に向けて室内に送出される。これにより、サーキュレータ１は後方上方に空気を送出することになる。室内に送出された空気は、部屋の側壁面Ｗ１に到達する。その後、コアンダ効果により側壁面Ｗ１から部屋の天井面、側壁面Ｗ１に対向する側壁面、床面を順次伝ってサーキュレータ１の両側方から後面１２０側に配置された吸込口１２２に吸い込まれる。
【００５６】
図１〜図３に示される本発明のサーキュレータ１と、図３０に示される従来のサーキュレータ１０を用いて、室内空気の温度ムラを測定した。
【００５７】
図４は、空気調和機とサーキュレータの配置を示す図である。図４の（Ａ）は、空気調和機とサーキュレータが配置された部屋の全体を示す斜視図であり、図４の（Ｂ）は、空気調和機とサーキュレータが配置された部屋を上方向から見たときの図である。図４の（Ｃ）は、空気調和機とサーキュレータが配置された部屋を図４の（Ａ）の矢印Ｃの方向から見たときの側断面図である。図４には、本発明のサーキュレータ１を配置したときの状態を示す。従来のサーキュレータ１０もサーキュレータ１と同様に配置される。
【００５８】
図４に示すように、サーキュレータ１が設置されている部屋Ｒは、天井面Ｓ、床面Ｆ、側壁面Ｗ１、Ｗ２、Ｗ３、Ｗ４にて成る矩形の部屋Ｒであり、一般的な気密が確保されている。また、部屋Ｒをその中央鉛直面で２つに切った断面を断面Ｚとする。部屋Ｒの大きさは６畳（高さ２４００ｍｍ、横３６００ｍｍ、奥行き２７００ｍｍ）である。また、後に断面Ｚの温度分布を示すが、その温度計測ポイントは、断面Ｚにおいて、６００ｍｍの間隔で高さ方向に５点、横方向に７点の、合計３５点を計測した。
【００５９】
部屋Ｒの１つの側壁面Ｗ１には、断面Ｚで左右に２分割されるように空気調和機９０が設けられている。なお、一般的にサーキュレータ１は、空気調和機９０の設置される側壁面Ｗ１と対向する側壁面Ｗ２に設置されると効果的である旨が報告されており、本実施形態においては側壁面Ｗ２と床面Ｆにて囲まれたコーナー部に断面Ｚで左右に２分割されるようにサーキュレータ１を以下のように配置した。
【００６０】
吹出口１３１（または吹出口１３１０）の中央位置から部屋の側壁面Ｗ１までの距離Ｌを３７０ｍｍ、吹出口１３１（または吹出口１３１０）の中央位置から部屋の天井面Ｓまでの距離Ｈを１７８０ｍｍ、本発明のサーキュレータ１では吹出口１３１から送り出される空気の流れる方向が鉛直上方に対してなす角度θをｔａｎ−１（Ｌ／Ｈ）＜θ≦３５の範囲内で選ばれた一つの値に固定された角度である２０°（あるいは、吹出流通路１８０の中央位置の延びる方向が鉛直上方向に対してなす角度θをｔａｎ−１（Ｌ／Ｈ）＜θ≦３５の範囲内で選ばれた一つの値に固定された角度である２０°）、従来のサーキュレータ１０では吹出口１３１０から送り出される空気の流れる方向が鉛直上方に対してなす角度θを０°、すなわち、吹出口１３１０から送り出される空気の流れる方向を鉛直上方とした。また、サーキュレータから送出される空気の風量は５．１ｍ３／ｍｉｎとした。
【００６１】
上記の部屋Ｒにおいて、冬季、気温５℃の状態から、空気調和機９０の暖房運転（設定温度２６℃、暖房自動運転）を行った場合の、暖房運転開始から３０分経過後の、部屋Ｒの断面Ｚの温度分布を計測した。図５はサーキュレータの駆動を停止した場合の図であり、図６は本発明のサーキュレータを運転した場合の図であり、図７は従来のサーキュレータを運転した場合の図（断面Ｚ）である。
【００６２】
図５に示すように、サーキュレータの駆動を停止している場合には、床面近傍と天井面近傍との温度差が６〜７℃あることがわかる。一方、図６に示すように、本発明のサーキュレータ１を駆動している場合には、床面近傍と天井面近傍との温度差が１〜２℃となっている。図７に示すように、従来のサーキュレータ１０を駆動している場合には、床面近傍と天井面近傍との温度差が３〜４℃になっている。
【００６３】
次に、上記の部屋Ｒにおいて、夏季、気温３５℃の状態から、空気調和機９０の冷房運転（設定温度２６℃、冷房自動運転）を行った場合の、冷房運転開始から３０分経過後の、部屋Ｒの断面Ｚの温度分布を計測した。図８はサーキュレータを停止した場合の図であり、図９は本発明のサーキュレータを運転した場合の図であり、図１０は従来のサーキュレータを運転した場合の図（断面Ｚ）である。
【００６４】
図８に示すように、サーキュレータの駆動を停止している場合には、床面近傍と天井面近傍との温度差が７〜８℃あることがわかる。一方、図９に示すように、本発明のサーキュレータ１を駆動している場合には、床面近傍と天井面近傍との温度差が２〜３℃となっている。図１０に示すように、従来のサーキュレータ１０を駆動している場合には、床面近傍と天井面近傍との温度差が４〜５℃になっている。
【００６５】
図５〜図１０から、本発明のサーキュレータ１が、従来技術のサーキュレータ１０に対して、室内空気の温度ムラを大幅に減少させることができることがわかる。
【００６６】
以上のように、本発明によると、部屋Ｒ内の空気の温度ムラを効果的に減少させることができる。
【００６７】
次に、上記の図５〜図１０に示すように本発明のサーキュレータ１が室内空気の温度ムラを効果的に減少させるメカニズムについて説明する。
【００６８】
まず、本発明の構成により、部屋の中を流通する気流にどのような変化が生じるのかについて以下の実験結果に基づいて説明する。
【００６９】
図１１は、サーキュレータの配置とサーキュレータによる風速を測定する測定位置を示す図である。
【００７０】
図１１に示すように、図３０に示す従来のサーキュレータ１０を部屋Ｒ内に以下のように配置した。吹出口１３１０の中央位置から部屋の側壁面Ｗ１までの距離Ｌを３７０ｍｍまたは７０ｍｍ、吹出口１３１０の中央位置から部屋の天井面Ｓまでの距離Ｈを１８８０ｍｍ、従来のサーキュレータ１０の吹出口１３１０から送り出される空気の流れる方向が鉛直上方に対してなす角度θを０°、２０°、３０°、または、４０°とした。このように配置された従来のサーキュレータ１０を運転して天井面Ｓに沿った風速を測定した。風速を測定する測定位置は、側壁面Ｗ１からそれぞれ、１０００ｍｍ、１５００ｍｍ、２０００ｍｍ、２５００ｍｍ離れた天井面Ｓの４つの位置とした。サーキュレータ１０から送り出される空気の風量は４．３ｍ３／ｍｉｎとした。
【００７１】
図１２は、風速の測定結果を示す図である。横軸は、測定位置として側壁からの距離（単位：ｍｍ）、縦軸は、その測定位置における天井面に沿った風速（単位：ｍ/ｓ）を示している。
【００７２】
図１２に示された測定結果において、まず、部屋Ｒの側壁面Ｗ１から距離３００ｍｍの間隔をあけてサーキュレータ１０を床面Ｆに設置したとき（Ｌ＝３７０ｍｍ）において、サーキュレータ１０の吹出口１３１０から気流が鉛直上方（θ＝０°）に送出される場合（図中●）と、サーキュレータ１０の吹出口１３１０から気流が斜め後方（θ＝２０°）に送出される場合（図中▲）、斜め後方（θ＝３０°）に送出される場合（図中◆）、斜め後方（θ＝４０°）に送出される場合（図中■）を比較する。図１２から、吹出口１３１０から送出する気流を斜め後方にθ＝２０°〜３０°程度に設定することにより、気流を鉛直上方（θ＝０°）に送出した場合に比べて、天井面Ｓ近傍の風速が大幅に増加していることがわかる。また、θを４０°程度にすると、天井面Ｓ近傍の風速は鉛直上方（θ＝０°）に送出した場合とほぼ同等となる。
【００７３】
この現象を以下の比較により明らかにする。まず、図１２において、サーキュレータ１０の後面１２００側を部屋の側壁面Ｗ１に面して床面Ｆに設置し、サーキュレータ１０の吹出口１３１０から気流が鉛直上方（θ＝０°）に送出される場合において、側壁面Ｗ１から距離３００ｍｍの間隔をあけてサーキュレータ１０を配置した場合（図中●）と、側壁面Ｗ１からの距離を０ｍｍにして、サーキュレータ１０の後面１２００を側壁面Ｗ１に接して配置した場合（Ｌ＝７０ｍｍ）（図中○）を比較する。図１２から、側壁面Ｗ１から距離３００ｍｍの間隔をあけてサーキュレータ１０を設置した場合（図中●）に対し、側壁面Ｗ１からの距離を０ｍｍにして、サーキュレータ１０の後面１２００を側壁面Ｗ１に接して配置した場合（図中○）の方が、サーキュレータ１０の前面１１００側の天井面Ｓに沿った風速は大きくなっていることがわかる。これは、側壁面Ｗ１から距離３００ｍｍの間隔をあけてサーキュレータ１０を設置した場合、気流の一部がサーキュレータ１０の後面１２００側へ回り込み、前面１１００側へ流れる気流が損なわれていることを示している。すなわち、サーキュレータの設置位置によって、室内の気流に大きな影響を与えることが図１２によって裏付けられる。
【００７４】
また、図１２において、側壁面Ｗ１からの距離を０ｍｍにして、サーキュレータ１０の後面１２００を側壁面Ｗ１に接して配置し、サーキュレータ１０の吹出口１３１０から気流が鉛直上方（θ＝０°）に送出される場合（図中○）と、部屋の側壁面Ｗ１から距離３００ｍｍの間隔をあけてサーキュレータ１０を床面Ｆに配置し、サーキュレータ１０の吹出口１３１０から気流が斜め後方（θ＝２０°）に送出される場合（図中▲）を比較する。図１２から、サーキュレータ１０の後面１２００を側壁面Ｗ１に接して配置し、サーキュレータ１０の吹出口１３１０から気流が鉛直上方（θ＝０°）に送出される場合（図中○）に対し、サーキュレータ１０の後面１２００側を側壁面Ｗ１から距離３００ｍｍの間隔をあけて配置し、気流が斜め後方（θ＝２０°）に送出される場合（図中▲）の方が、サーキュレータ１０の天井面Ｓに沿った風速は大きくなっていることがわかる。これは、サーキュレータ１０の後面１２００を側壁面Ｗ１に接して配置し、気流が鉛直上方（θ＝０°）に送出される場合、側壁面Ｗ１によって気流の拡散は抑制されるが、吹き出し直後から気流が側壁面Ｗ１の粘性抵抗の影響を受けるためである。これに対し、側壁面Ｗ１から３００ｍｍの間隔を設けてサーキュレータ１０を設置し、気流が斜め後方（θ＝２０°）に送出される場合、側壁面Ｗ１によって気流の拡散が抑制され、かつ、側壁面Ｗ１に衝突するまで側壁面Ｗ１の粘性抵抗の影響を受けないため、サーキュレータ１０の前面１１００側の天井面Ｓに沿った風速が損なわれにくい。
【００７５】
さらに、図１２において、側壁面Ｗ１から３００ｍｍの間隔を設けて床面Ｆに設置し、気流が斜め後方（θ＝２０°）に送出される場合（図中▲）、斜め後方（θ＝３０°）に送出される場合（図中◆）、斜め後方（θ＝４０°）に送出される場合（図中■）を比較する。図１２から、θが大きいほど、天井面Ｓに沿った風速は小さくなっていることがわかる。これは、θが大きいほど、側壁面Ｗ１に沿って流れる距離が長くなり、側壁面Ｗ１の粘性抵抗の影響を受けやすくなること、および、側壁面Ｗ１に衝突する際に気流の運動エネルギーが損なわれやすく、また、気流の進行方向に対して横方向への広がりが大きくなる（図１４を参照して後述する）ためである。
【００７６】
以上、説明したように、吹出口１３１０から送出される気流の角度とサーキュレータ１０の設置位置によって、室内の気流は大きな影響を受けることが図１２によって裏付けられる。
【００７７】
本発明のサーキュレータ１０においては、吹出口１３１０の中央位置から部屋Ｒの側壁面Ｗ１までの距離をＬ［ｍｍ］、吹出口１３１０の中央位置から部屋Ｒの天井面Ｓまでの距離をＨ［ｍｍ］とし、距離Ｌが１００＜Ｌ＜６００の範囲で選ばれた位置に当該サーキュレータ１０が配置されて用いられるときに、吹出口１３１０から送り出される空気を最初に室内の側壁面Ｗ１に到達させるために、吹出口１３１０から送り出される空気の流れる方向が鉛直上方向に対してなす角度θ［°］をｔａｎ−１（Ｌ／Ｈ）＜θ≦３５の範囲に設定する。
【００７８】
ここで、θの上限値は、図１２の結果に基づいて３５°に設定される。θの下限値は、図１１において、吹出口１３１０の中央位置と、部屋Ｒの側壁面Ｗ１と天井面Ｓとが交差する線上の点Ｐとを結んだ直線がなす角度であるｔａｎ−１（Ｌ／Ｈ）に設定される。角度θがｔａｎ−１（Ｌ／Ｈ）以上であると、吹出口１３１０から送り出される空気は、少なくとも側壁面Ｗ１に最初に衝突するからである。
【００７９】
ところで、θが１５°未満の場合においては、天井面Ｓの高さと、側壁面Ｗ１からの距離によって室内空気の温度ムラが効果的に減少する場合と、効果的に減少しない場合があるので、注意が必要である。
【００８０】
例えば、側壁面Ｗ１から３００ｍｍの間隔を設けてサーキュレータ１０を床面Ｆに設置し、気流が斜め後方（θ＝１０°）に送出される場合、吹出口１３１０から送出された気流は側壁面Ｗ１ではなく、まず天井面Ｓに衝突する。斜め方向から天井面Ｓに衝突するため、気流は、衝突した面に対してなす角度が鋭角になる方向（サーキュレータ１０の前面１１００側）には流れにくい。つまり、衝突した面に対してなす角度が鈍角になる方向（サーキュレータ１０の後面１２００側）に流れやすいため、気流が鉛直上方（θ＝０°）に送出される場合よりもサーキュレータ１０の前面１１００側へ流れる気流が損なわれてしまう。すなわち、気流の一部はサーキュレータ１０の後面１２００側へ回り込み、サーキュレータ１０の後面１２００側と側壁面Ｗ１との間の狭い空間を循環し、直ちにサーキュレータ１０に吸引される。この、サーキュレータ１０の後面１２００側に回り込む気流は、部屋Ｒ全体へ行き渡ることが困難なため、無駄に送出されているといえる。また、部屋Ｒ全体へ行き渡る風量は、後面１２００側に回り込む気流の分だけ減少するため、気流の到達距離が短くなってしまうとともに、室内空気の温度ムラも効果的に減少しなくなってしまう。
【００８１】
しかし、側壁面Ｗ１から１００ｍｍの間隔を設けてサーキュレータ１０を床面Ｆに設置し、気流が斜め後方（θ＝１０°）に送出される場合、吹出口１３１０から送出された気流は、まず側壁面Ｗ１に衝突する。従って、この場合、側壁面Ｗ１から３００ｍｍの間隔を設けてサーキュレータ１０を床面Ｆに設置し、気流が斜め後方（θ＝２０°）に送出される場合とほぼ同等の効果が得られる。
【００８２】
次に、側壁面Ｗ１に対して従来のサーキュレータの吹出口から送出される気流を角度θにて吹き付け、その気流の進行方向の側壁面Ｗ１近傍の位置と、気流が側壁面Ｗ１に吹き付けられる位置の進行方向に対して直交する横方向の側壁面Ｗ１近傍の位置のそれぞれにおいて、上記の角度θを変化させたときの風速の変化を調べた。
【００８３】
図１３は、サーキュレータの配置とサーキュレータによる風速を測定する測定位置を示す図である。図１３の（Ａ）において矢印Ｂの方向から見た図を（Ｂ）に示す。
【００８４】
図１３に示すように、図３０に示す従来のサーキュレータ１０を側壁面Ｗ１近傍に配置し、サーキュレータ１０の吹出口から矢印Ｖ方向に送出される気流を側壁面Ｗ１に向かって吹き付ける角度θを変化させた。図１３の（Ａ）と（Ｂ）に示すように、風速の測定点として、その気流の進行方向の側壁面Ｗ１近傍の位置を進行方向計測点■とし、図１３の（Ｂ）に示すように、気流が側壁面Ｗ１に吹き付けられる位置の進行方向に対して直交する横方向の側壁面Ｗ１近傍の位置を横方向測定点▲とした。
【００８５】
図１４は、進行方向計測点■と横方向測定点▲における風速の測定結果を示す図である。横軸は気流Ｖを側壁面Ｗ１に向かって吹き付ける角度θ、すなわち、気流Ｖと側壁面Ｗ１とのなす角度θ（単位：°）、縦軸は、その角度θのときの風速（単位：ｍ/ｓ）を示している。図１４から、吹き付け角度θが小さいほど、横方向測定点▲における風速が小さいので、気流の横方向への広がりは小さく、側壁面Ｗ１に対してθ＝９０°、すなわち、側壁面Ｗ１に対して気流Ｖを直角に吹き付けた場合には、横方向測定点▲における風速が最も大きいので、気流の横方向への広がりは最も大きくなることがわかる。
【００８６】
次に、従来のサーキュレータの吹出口から気流を角度θ＝０°、２０°にて送出し、サーキュレータの後面側を部屋の側壁面Ｗ１に対向して床面Ｆに設置し、側壁面Ｗ１からの距離Ｌを変化させたときに、サーキュレータの前面側から１０００ｍｍ、つまり側壁面Ｗ１からＬ＋１０００ｍｍ離れた天井面Ｓの風速がどのように変化するかについて調べた。
【００８７】
図１５は、サーキュレータの配置とサーキュレータによる風速を測定する測定位置を示す図である。
【００８８】
図１５に示すように、図３０に示す従来のサーキュレータ１０を部屋Ｒ内に以下のように配置した。吹出口１３１０の中央位置から部屋Ｒの側壁面Ｗ１までの距離Ｌを７０ｍｍ、１７０ｍｍ、３７０ｍｍ、４７０ｍｍ、５７０ｍｍ、または、７７０ｍｍ、吹出口１３１０の中央位置から部屋Ｒの天井面Ｓまでの距離Ｈを１８８０ｍｍ、従来のサーキュレータ１０の吹出口１３１０から送り出される空気の流れる方向が鉛直上方に対してなす角度θを０°、または、２０°とした。このように配置された従来のサーキュレータ１０を運転して天井面Ｓに沿った風速を測定した。風速を測定する測定位置は、側壁面Ｗ１から、Ｌ＋１０００ｍｍ離れた天井面Ｓの位置とした。サーキュレータ１０から送り出される空気の風量は４．３ｍ３／ｍｉｎとした。
【００８９】
図１６は、風速の測定結果を示す図である。
【００９０】
図１６（Ａ）は、従来のサーキュレータ１０の吹出口１３１０から気流を角度θ＝０°、２０°にて送出し、サーキュレータ１０の後面１２００側を部屋Ｒの側壁面Ｗ１に対向して床面Ｆに設置（Ｈ＝１８８０ｍｍ）し、その側壁面Ｗ１からの距離Ｌを変化させたときに、サーキュレータ１０の前面１１００側から１０００ｍｍ、つまり側壁面Ｗ１からＬ＋１０００ｍｍ離れた天井面Ｓの風速がどのように変化するかを示す図である。すなわち、Ｌの変化に伴って、サーキュレータ１０の設置位置だけでなく、測定位置も移動するように測定した。横軸は、側壁面Ｗ１から吹出口１３１０の中央位置までの距離（単位：ｍｍ）、縦軸は、サーキュレータ１０の前面１１００側から１０００ｍｍ（側壁面Ｗ１からＬ＋１０００ｍｍ）離れた天井面Ｓに沿った風速（単位：ｍ/ｓ）を示している。また、図１６（Ｂ）は、図１６（Ａ）の横軸である「側壁面Ｗ１から吹出口１３１０の中央位置までの距離Ｌ（単位：ｍｍ）」の代わりに、「気流が通過する吹出口１３１０の中央位置から測定位置までの距離（単位：ｍｍ）」を横軸にして、天井面Ｓに沿った風速（単位：ｍ/ｓ）の変化を示したものである。このように表現すると、気流を角度θ＝２０°にて送出する場合には、距離Ｌの増加に伴い気流が通過する吹出口１３１０の中央位置から測定位置までの距離も増加するが、気流を角度θ＝０°にて送出する場合には、距離Ｌを変化させても気流が通過する吹出口１３１０の中央位置から測定位置までの距離は変化しないことがわかる。
【００９１】
図１６（Ａ）において、サーキュレータ１０の吹出口１３１０から気流を角度θ＝０°にて送出する場合（図中●）と、角度θ＝２０°にて送出する場合（図中▲）を比較する。図１６（Ａ）から、Ｌ＜１００ｍｍではθ＝０°の方が、１００＜Ｌ＜６００ｍｍではθ＝２０°の方が、Ｌ＞６００ｍｍではθ＝０°の方がサーキュレータ１０の前面１１００側から１０００ｍｍ、つまり側壁面Ｗ１からＬ＋１０００ｍｍ離れた天井面Ｓ近傍の風速が大きくなっている。上述したように、図１２、および図５〜図１０に示した結果から、天井面Ｓ近傍の風速が大きいほど室内空気の温度ムラを減少させるので、すなわち、θ＝２０°の場合（本実施形態のサーキュレータに相当する）は、θ＝０°（従来のサーキュレータに相当する）に対して、１００＜Ｌ＜６００ｍｍの領域では、室内空気の温度ムラ解消において優位性を有することがわかる。
【００９２】
以下に、これらの数値限定の臨界的意義について述べる。
【００９３】
まず、サーキュレータ１０の吹出口１３１０から気流を角度θ＝０°にて送出する場合（従来のサーキュレータに相当する）について詳細に説明する。上述の通り、図１６（Ｂ）においては、距離Ｌの変化に伴って、気流が通過する吹出口１３１０中央から測定位置までの距離は変化しない。従って、図１６（Ａ）のＬ＞４００ｍｍの領域において、天井面Ｓに沿った風速はほぼ一定となる。但し、図１６（Ａ）のＬ＜４００ｍｍの領域においては、サーキュレータ１０と側壁面Ｗ１との距離が近くなり、側壁面Ｗ１の影響が現れる。すなわち、サーキュレータ１０と側壁面Ｗ１との距離が近いほど（距離Ｌが小さいほど）、サーキュレータ１０の後面１２００に回り込む気流は減少してロスが少なくなるため、測定位置における風速は増加する。
【００９４】
次に、サーキュレータ１０の吹出口１３１０から気流を角度θ＝２０°にて送出する場合（本実施形態のサーキュレータに相当する）について詳細に説明する。この場合、距離Ｌの増加に伴い気流が通過する吹出口１３１０の中央位置から測定位置までの距離も増加するので、距離Ｌの増加に伴い計測位置における風速は低下する。但し、図１６（Ａ）、（Ｂ）のＬ＜１７０ｍｍの領域においては、サーキュレータ１０と側壁面Ｗ１との距離が近くなり、側壁面Ｗ１の影響が現れる。すなわち、サーキュレータ１０と側壁面Ｗ１との距離が近いほど（距離Ｌが小さいほど）、気流が側壁面Ｗ１に衝突し、運動エネルギーが損なわれて、その分のロスが大きくなるため、測定位置における風速は減少する。なお、１７０＜Ｌ＜３７０ｍｍの領域において、計測位置における風速が最も増加する。
【００９５】
次に、角度θ＝０°、２０°の場合を比較する。
【００９６】
まず、サーキュレータ１０と側壁面Ｗ１との距離が近く、側壁面Ｗ１の影響が強く表れるＬ＜１００ｍｍの領域において、θ＝２０°で吹出口１３１０から気流を送出すると、気流が側壁面Ｗ１に衝突し、運動エネルギーが損なわれるデメリットが大きくなり、測定位置における風速は比較的遅い。θ＝０°の場合は、サーキュレータ１０の後面１２００に回り込む気流は大きく減少してロスが大幅に少なくなるメリットのため、測定位置における風速は比較的速い。従って、Ｌ＜１００ｍｍの領域においては、θ＝２０°の場合に比べてθ＝０°の場合、天井面Ｓ近傍の風速が大きくなり、室内空気の温度ムラが減少する。
【００９７】
次に、１００ｍｍ＜Ｌ＜６００ｍｍの領域において、θ＝０°で吹出口１３１０から気流を送出すると、気流はまず天井面Ｓに衝突する。鉛直方向から天井面Ｓに衝突するため、気流は四方八方に分散してしまう。つまり、サーキュレータ１０の後面１２００側へ気流の一部が回り込んでしまうロスのデメリットが大きい。これに対して、θ＝２０°の場合は、吹出口１３１０から送出された気流はまず側壁面Ｗ１に衝突する。斜め方向から側壁面Ｗ１に衝突するため、気流は衝突した面に対してなす角度が鋭角になる方向（床面Ｆに向かう方向、後述の図１９において矢印Ｄで示す方向で、このとき、θ１は鋭角である）には流れにくいため、気流は衝突した面に対してなす角度が鈍角になる方向（天井面Ｓに向かう方向、後述の図１９において矢印Ｃで示す方向で、このとき、θ２は鈍角である）に収束する。つまり、サーキュレータ１０の後面１２００側へ回り込む気流はほとんどない。このメリットが非常に大きい。但し、サーキュレータ１０の前面１１００側へ導かれる距離はθ＝０°に比べて長くなるが、このデメリットは、上記のメリットに比べて小さい。従って、θ＝０°でサーキュレータ１０の後面１２００側へ気流の一部が回り込んで損失する量と、θ＝２０°でサーキュレータ１０の前面１１００側へ導かれる距離が長くなることによって損失する量の大小関係により、天井面Ｓに沿った風速に差が生じる。１００＜Ｌ＜６００ｍｍの領域においては、θ＝２０°の方がθ＝０°に比べて損失する量が少ないため、θ＝２０°の方が天井面Ｓ近傍の風速が大きくなり、室内空気の温度ムラが減少する。なお、両者の差がもっとも大きくなるのは、図１６（Ａ）から、Ｌ＝３７０ｍｍ（側壁面Ｗ１とサーキュレータ１０の後面１２００との距離が３００ｍｍ）の場合である。
【００９８】
また、Ｌ＞６００ｍｍの領域において、θ＝２０°で吹出口１３１０から気流を送出すると、距離Ｈの大きさによっては、気流はまず側壁面Ｗ１に到達する場合と、天井面Ｓに到達する場合がある。
【００９９】
まず、側壁面Ｗ１に到達する場合、斜め方向から側壁面Ｗ１に衝突するため、気流の運動エネルギーが損なわれにくく、また、気流は衝突した面に対してなす角度が鋭角になる方向（床面Ｆに向かう方向）には流れにくいため、衝突した面に対してなす角度が鈍角になる方向（天井面Ｓに向かう方向）に収束するが、サーキュレータ１０の前面１１００側へ導かれる距離が長くなるため、デメリットが非常に大きくなる。
【０１００】
一方、天井面Ｓに到達する場合、気流は衝突した面に対してなす角度が鋭角になる方向（サーキュレータ１０の前面１１００側）には流れにくく、衝突した面に対してなす角度が鈍角になる方向（サーキュレータ１０の後面１２００側）に流れやすい。つまり、サーキュレータ１０の後面１２００側へ流れる気流が多くなるため、サーキュレータ１０の前面１１００側の天井面Ｓに沿った風速は大きく損なわれる。これに対して、θ＝０°で吹出口１３１０から気流を送出する場合、上記に示す通り、Ｌ＞４００ｍｍの領域においては、距離Ｌの大きさに関わらず、デメリットはほぼ一定となる。従って、Ｌ＞６００ｍｍの領域においては、θ＝０°のデメリットが、θ＝２０°のデメリットに対して小さくなるため、θ＝０°の方が天井面Ｓ近傍の風速が大きくなり、室内空気の温度ムラが減少する。
【０１０１】
すなわち、上記により、部屋の側壁面Ｗ１近傍（１００ｍｍ＜Ｌ＜６００ｍｍ）に配置されるサーキュレータ１０において、本発明のサーキュレータ１（図１）の構成では天井面Ｓ近傍の風速が大きくなり、効果的に室内空気の温度ムラを減少させることが図１６（Ａ）、（Ｂ）の結果によって裏付けられる。
【０１０２】
また、図１６は、Ｈ＝１８８０ｍｍ、すなわち、床面Ｆから天井面Ｓの高さが２．５ｍである一般的な部屋Ｒにおける風速の測定結果の一例を示している。吹出口１３１０の中央位置から部屋Ｒの天井面Ｓまでの距離Ｈが変化しても、気流が天井面Ｓに到達するまでの距離の増減は、気流の吹出し角度θによらず、距離Ｈに依存する。従って、部屋Ｒの側壁面Ｗ１近傍（１００ｍｍ＜Ｌ＜６００ｍｍ）に配置されるサーキュレータ１０において、吹出口１３１０の中央位置から部屋Ｒの天井面Ｓまでの距離Ｈが長くなれば、それに応じて風量を大きくする必要はあるが、本発明のサーキュレータ１（図１）では、吹出口１３１（図１）の中央位置から部屋の天井面Ｓまでの距離に関係せず、図１６と同様の効果が得られるため、天井面Ｓ近傍の風速が大きくなり、効果的に室内空気の温度ムラを減少させることができる。
【０１０３】
以上、説明したように、図１２、図１４の結果から、サーキュレータの吹出口から送出される気流の角度、および、サーキュレータの設置位置によって、室内の空気の流れ、すなわち、天井面Ｓ近傍の風速分布、および、気流が側壁面Ｗ１に吹き付けられた際の気流の横方向への広がりが大きく変わる。これらの現象を踏まえて、本発明のサーキュレータと従来のサーキュレータにおける気流の挙動を説明する。
【０１０４】
すなわち、従来のサーキュレータのように、サーキュレータの吹出口から気流が鉛直上方（θ＝０°）に送出される場合、吹出口から送出された気流はまず天井面に衝突する。垂直方向から天井面に衝突するため、気流の運動エネルギーが大きく損なわれ、また、気流は四方八方にほぼ均等に分散してしまう。つまり、サーキュレータの後面側へ気流の一部が回り込んでしまう。このため、サーキュレータの前面側の天井面に沿った風速は著しく低下する。すなわち、サーキュレータの前面側へ流れる気流（風量）が損なわれている。また、気流が天井面に衝突した際に気流は四方八方にほぼ均等に分散してしまうので、気流の方向を制御することができず、温度ムラを解消したい空間（居住空間、人が存在する空間）側へ意図して気流を送出することができない。
【０１０５】
これに対して、本発明のサーキュレータのように、サーキュレータの吹出口から気流が斜め後方に送出される場合、吹出口から送出された気流はまず側壁面に衝突する。斜め方向から側壁面に衝突するため、気流の運動エネルギーが損なわれにくく、また、気流は衝突した面に対してなす角度が鋭角になる方向（床面に向かう方向）には流れにくいため、衝突した面に対してなす角度が鈍角になる方向（天井面に向かう方向）に収束する。つまり、サーキュレータの後面側へ回り込む気流はほとんどない。また、図１４の結果から、気流が側壁面に斜め方向から衝突する箇所においては、気流の横方向への拡散が少ないため、気流は分散しにくく、天井面に向かう方向へ流れる気流はあまり損なわれない。このため、吹出口から送出される気流の角度にもよるが、サーキュレータの前面側の天井面に沿った風速はあまり損なわれない。すなわち、サーキュレータの前面側へ流れる気流（風量）はあまり損なわれない。さらに、気流が側壁面に衝突した際に気流は衝突した面に対してなす角度が鈍角になる方向（天井面に向かう方向）へ収束するため、気流の方向を制御することができる。以上により、本発明の構成により、気流の到達距離が大幅に延長されるので、温度ムラを解消したい空間（居住空間、人が存在する空間）側へ意図して気流を送出することができる。
【０１０６】
次に、本発明のサーキュレータの構成によって部屋の中を流通する気流が上記のように変化した場合、従来技術のサーキュレータに対して、室内、特にサーキュレータから離れた位置の空気の温度ムラをいかにして効果的に減少させることができるのかについて、そのメカニズムを説明する。
【０１０７】
図１７は、従来技術のサーキュレータの室内気流を模式的に示した断面図である。また、図１８は、従来技術のサーキュレータの室内気流（壁面に沿った気流）を模式的に示した展開図である。
【０１０８】
図１７に示すように、従来技術のサーキュレータ１０から送出される気流は、吹出口から空気が真上（鉛直上方）に吹き出され、天井面Ｓに鉛直方向から衝突する。このとき、気流は天井面Ｓに鉛直方向から衝突するため、衝突する際に運動エネルギーが大きく損なわれ、また、気流は四方八方にほぼ均等に分散する。
【０１０９】
したがって、図１８に示される気流の関係は次の式で表わされる。
【０１１０】
Ａ１≒Ａ２≒Ａ３≒Ａ４≒Ａ５≒Ａ６≒Ａ７≒Ａ８
このとき、その一部Ａ４、Ａ５、Ａ６（約１／４の気流）はサーキュレータの背後に回り込んでしまい、直ちにサーキュレータに吸引される。すなわち、一部（約１／４）の気流Ａ４、Ａ５、Ａ６は部屋全体へ行き渡ることが困難なため、室内空気の温度ムラ解消にほとんど寄与しなくなってしまう。従って、従来技術のサーキュレータから送出される気流には、無駄に送出していた気流があるので、従来技術のサーキュレータでは効果的に室内空気の温度ムラを解消することができない。
【０１１１】
同様の観点で、本発明のサーキュレータを考えると、次のようになる。
【０１１２】
図１９は本発明のサーキュレータの室内気流を模式的に示した断面図である。また、図２０は本発明のサーキュレータの室内気流（壁面に沿った気流）を模式的に示した展開図である。
【０１１３】
図１９に示すように、本発明のサーキュレータ１から送出される気流は、吹出口から空気が斜め後方に吹き出され、まず、背後の側壁面Ｗ１に衝突する。気流は、背後の側壁面Ｗ１に鉛直方向からではなく、側壁面Ｗ１に対して斜め方向から衝突するため、衝突する際に運動エネルギーが損なわれにくい。また、気流は背後の側壁面Ｗ１に沿って滑らかに天井面Ｓに向かう方向（図１９に示す矢印Ｃの方向）へと流れる。
【０１１４】
このとき、図２０に示す気流の関係は次の式で表わされる。
【０１１５】
Ｂ１＞Ｂ２≒Ｂ８＞Ｂ３≒Ｂ７＞Ｂ４≒Ｂ６＞＞Ｂ５
このとき、気流は衝突した面に対してなす角度が鋭角になる方向（床面Ｆに向かう方向、図１９において矢印Ｄで示す方向で、このとき、θ１は鋭角である）には流れにくいため、サーキュレータの背後に回り込む気流は従来に比べて大幅に減少する。
【０１１６】
すなわち、図１８と図２０に示す気流の関係は次の式で表わされる。
【０１１７】
Ａ５＞＞Ｂ５
すなわち、気流のほとんど全てが室内空気の温度ムラ解消に寄与することになる。従って、本発明のサーキュレータから送出される気流によって効果的に室内空気の温度ムラを解消することが可能となる。
【０１１８】
本発明の構成による効果は、特にサーキュレータの前面方向へ遠く離れた位置（広い空間）で、より優位性を発揮する。なぜならば、従来のサーキュレータから送出される気流はロス（サーキュレータの背面側へ流れる気流）が多く、本発明のサーキュレータから送出される気流はロスが少ない。つまり、吹出口では同一風量でも、サーキュレータの前面側へ導かれる風量に差が生じる。また、本発明のサーキュレータから送出される気流はコアンダ効果を活用している。側壁面から天井面へと壁面に沿わせているため、気流が拡散しにくく、ポテンシャルコア領域が延長されるため、気流の到達距離が延長される。従来のサーキュレータから送出される気流はサーキュレータから遠く離れた位置に気流が到達しにくいため、気流が届かない離れた位置によどみが生じやすく、そのよどみ領域の空気の温度ムラ解消は温度差に基づく拡散による。これに対して、本発明のサーキュレータから送出される気流はロスが少なく、かつ、コアンダ効果により気流の到達距離が延長されるため、サーキュレータから遠く離れた位置に気流が到達しやすい。従って、本発明のサーキュレータから送出される気流の方がサーキュレータの前面方向へ遠く離れた位置で効果を発揮し、より広い空間の温度ムラを効果的に減少させることができる。
【０１１９】
また、本発明のサーキュレータが、従来技術のサーキュレータに対して、室内の空気の温度ムラをより効果的に減少させることができる部屋の大きさと風量の関係について説明する。
【０１２０】
本発明のサーキュレータは、従来技術のサーキュレータに対して、吹出口から送出される気流の到達距離が延長される。例えば、図１２から、従来のサーキュレータの場合（図１２中●：θ＝０°）と、本発明のサーキュレータの場合（図１２中▲：θ＝２０°）における、天井面に沿った風速が０ｍ/ｓになるときの、側壁からの距離、すなわち気流の到達距離を、図１２中の側壁からの距離と風速との関係を示すそれぞれの線と横軸との交点から予測すると、風量が４．３ｍ３/ｍｉｎの時、従来技術のサーキュレータでは到達距離が約３．５ｍ、本発明のサーキュレータでは到達距離が約４．８ｍとなる。従って、側壁からの距離が３．５ｍ以上の空間では、本発明のサーキュレータが、従来技術のサーキュレータに対して、室内の空気の温度ムラを、より効果的に減少させることができると考えられる。
【０１２１】
ここで、床面積をＡ（ｍ２）、サーキュレータの後面側の側壁面に接する床面の一方の辺の長さをａ（ｍ）、床面の他方の辺の長さをｂ（ｍ）、サーキュレータの風量をＱ（ｍ３/ｍｉｎ）とし、風量Ｑを床面積Ａで除した値を考える。図１２に示す風速の変化の測定がなされた部屋（図１１）において、サーキュレータ１０の後面側の側壁面Ｗ１に接する床面Ｆの辺の長さは３．５ｍであるので、従来技術のサーキュレータの場合、
【０１２２】
【数１】
2009250550.tif 000003
【０１２３】
となる。
【０１２４】
このことから、本発明のサーキュレータが、従来技術のサーキュレータに対して、室内の空気の温度ムラを、より効果的に減少させることができる範囲は次のように表される。
【０１２５】
【数２】
2009250550.tif 000004
【０１２６】
ここで、ａ≦ｂとなるようにサーキュレータを配置することが望ましい。
【０１２７】
また、本発明のサーキュレータの場合も同様に考えると、
【０１２８】
【数３】
2009250550.tif 000005
【０１２９】
となる。
【０１３０】
このことから、本発明のサーキュレータが、従来技術のサーキュレータに対して、室内の空気の温度ムラを、最も効果的に減少させることができる範囲は次のように表される。
【０１３１】
【数４】
2009250550.tif 000006
【０１３２】
また、本発明によると、吹出流通路１８０（図１）は、一例として、断面積が約２０°の角度（奥行寸法一定の場合）で下流に行くほど拡大するので、吹出流通路１８０の壁面に沿う気流の剥離が抑制される。このため、流路抵抗が小さく、気流の運動エネルギーは効率良く静圧に変換される。すなわち、送風機（ファン）１７０（図１）の受け持つ仕事である静圧上昇の一部が、上記の、運動エネルギーが変換されることにより生み出される静圧によってまかなわれるため、送風機（ファン）１７０の仕事に必要となるエネルギーが少なくてすみ、少ない消費電力で所望の仕事をさせることができる。
【０１３３】
さらに、本発明によると、吹出流通路１８０は、断面積が下流に行くほど一定の割合（奥行寸法一定の場合、約２０°の角度）で拡大し、かつ、奥行寸法は下流に行くほど縮小し、絞られた形状（アスペクト比の高い断面積）を有するので、吹出口１３１（図１）の断面積のアスペクト比が高くなり、これに伴い、吹出口１３１から送出される気流の断面のアスペクト比も高くなる。このとき、気流の流通する面積が同じでも壁面と接する割合が増大するため、周囲の気流の影響を受けにくくなる。このため、流れが収束するので、気流のポテンシャルコアが延長される。これにより、気流の到達距離が延長される。すなわち、上記の構成により運動エネルギーが静圧に変換されて流速の低下した気流の到達距離を延長することができる。
【０１３４】
本発明のサーキュレータ１によると、気流が効率良く送出され、到達距離が大幅に延長するので、部屋のサーキュレータ１から遠い空間の空気の温度ムラをより早く減少させることができる。また、吸込口１２２をサーキュレータ１の後面１２０に配置し、吹出流通路１８０を後方上方に傾斜させることによって音の反射、干渉、回折の効果が得られ、低騒音化が可能となる。すなわち、本発明のサーキュレータ１によると、低騒音で、かつ、使用者の居住領域の温度ムラを効果的に減少させることが可能で快適な空間を得ることができる。
【０１３５】
以上のように、サーキュレータ１の設置方法は、床面Ｆ上に設置され、部屋Ｒの側壁面Ｗ１の近傍に配置されて用いられるサーキュレータ１の設置方法であって、サーキュレータ１は、筐体１００と、筐体１００に設けられ、室内の空気を取り入れるための吸込口１２２と、筐体１００に設けられ、取り入れた空気を室内に送り出すための吹出口１３１と、筐体１００に設けられ、吸込口１２２から吹出口１３１まで空気を移動させるための送風機１７０とを備え、吹出口１３１の中央位置から対向する最寄りの部屋Ｒの側壁面Ｗ１までの距離をＬ［ｍｍ］、吹出口１３１の中央位置から部屋Ｒの天井面Ｓまでの距離をＨ［ｍｍ］とし、距離Ｌが１００＜Ｌ＜６００の範囲で選ばれた位置に当該サーキュレータ１が配置されて用いられるときに、吹出口１３１から送り出される空気を最初に室内の側壁面Ｗ１に到達させるために、吹出口１３１から送り出される空気の流れる方向が鉛直上方向に対してなす角度θ［°］をｔａｎ−１（Ｌ／Ｈ）＜θ≦３５の範囲に設定する。
【０１３６】
このようにサーキュレータ１が設置されることにより、床面Ｆ上に設置され、部屋Ｒの側壁面Ｗ１の近傍に配置されるサーキュレータ１において、吹出口１３１から空気を、鉛直上方に対して所定の角度で送り出して部屋Ｒの側壁面Ｗ１に到達させ、次に、その空気を部屋Ｒの側壁面Ｗ１に沿わせて流通させ、さらに、天井、他の側壁面Ｗ１に沿わせて部屋Ｒ内に空気を循環させ、部屋Ｒ内の空気を吸込口１２２から吸引するように、空気の吹出し気流の角度が設定される。この構成によると、吹出口１３１から送り出される気流が直ちにサーキュレータ１に吸引される気流が少なくなるとともに、吹出口１３１から送出される気流の横方向への広がりが抑制されるため、気流の到達距離が大幅に延長され、部屋Ｒ内でサーキュレータ１から遠い位置における風速が大幅に増加する。
【０１３７】
その結果、部屋Ｒ内でサーキュレータ１から遠い位置における空気環境の改善効果を高めることができ、広範囲の室内空気の温度ムラを効果的に減少させることができる。また、無駄に送り出されていた気流を減らすことができるため、少ない風量でも所望の空気環境の改善効果を得ることができる。少ない風量で同一の空気環境の改善効果が実現可能であるため、消費電力、及び騒音を低減することができる。
【０１３８】
このようにすることにより、シロッコファン１７１が起動したときの冷風または温風による不快感（ドラフト感）を解消することが可能なサーキュレータ１の設置方法を提供することができる。
【０１３９】
また、サーキュレータ１の設置方法においては、サーキュレータ１は、送風機１７０から吹出口１３１に至るまで空気が流れる吹出流通路１８０をさらに備え、吹出流通路１８０が部屋Ｒの側壁面Ｗ１に向かう方向に傾斜するようにサーキュレータ１を配置する。
【０１４０】
このようにすることにより、サーキュレータ１の吹出口１３１の位置で気流を部屋Ｒの側壁面Ｗ１側に曲げる角度を小さくすることができる。このため、吹出流通路１８０の圧力損失が低減し、消費電力が改善されるとともに騒音が低減される。さらに、吹出口１３１から発生する音が直接使用者の居住領域へ伝播されないので、室内空気の温度ムラを効果的に減少させるとともに、低騒音化することができる。
【０１４１】
また、サーキュレータ１の設置方法においては、サーキュレータ１は、送風機１７０から吹出口１３１に至るまで空気が流れる吹出流通路１８０をさらに備え、吹出流通路１８０の中央位置の延びる方向が、鉛直上方向に対して、ｔａｎ−１（Ｌ／Ｈ）＜θ≦３５の範囲内で選ばれた一つの値に固定された角度θ［°］で傾斜するようにサーキュレータ１を配置する。
【０１４２】
このように構成することにより、サーキュレータ１の吹出口１３１の位置で気流を部屋Ｒの側壁面Ｗ１側に曲げる必要がない。このため、吹出流通路１８０の圧力損失がさらに低減し、消費電力がより改善されるとともに騒音がより低減される。さらに、吹出口１３１から発生する音が直接使用者の居住領域へ伝播されないので、室内空気の温度ムラを効果的に減少させるとともに、低騒音化することができる。
【０１４３】
また、サーキュレータ１の設置方法においては、吸込口１２２および／または吹出口１３１を部屋Ｒの側壁面Ｗ１に対向するように配置する。
【０１４４】
このように構成することにより、吸込口１２２、および／または、吹出口１３１から発生する音が直接使用者の居住領域へ伝播されないので、室内空気の温度ムラを効果的に減少させるとともに、低騒音化することができる。
【０１４５】
また、サーキュレータ１の設置方法は、吹出口１３１から送り出される空気の風量をＱ［ｍ３／ｍｉｎ］、部屋Ｒの床の面積をＡ［ｍ２］としたとき、Ｑ／Ａ＜０．３５を満たす部屋Ｒで用いられる。
【０１４６】
このように構成することにより、吹出口１３１から送り出された気流が部屋Ｒの壁面に沿い、到達距離が延長されるので、上述した作用効果を確実に得ることができる。
【０１４７】
また、サーキュレータ１は、床面Ｆ上に設置され、部屋Ｒの側壁面Ｗ１の近傍に配置されて用いられるサーキュレータ１であって、筐体１００と、筐体１００に設けられ、室内の空気を取り入れるための吸込口１２２と、筐体１００に設けられ、取り入れた空気を室内に送り出すための吹出口１３１と、筐体１００に設けられ、吸込口１２２から吹出口１３１まで空気を移動させるための送風機１７０と、送風機１７０から吹出口１３１に至るまで空気が流れる吹出流通路１８０とを備え、吹出口１３１の中央位置から対向する最寄りの部屋Ｒの側壁面Ｗ１までの距離をＬ［ｍｍ］、吹出口１３１の中央位置から部屋Ｒの天井面Ｓまでの距離をＨ［ｍｍ］とし、距離Ｌが１００＜Ｌ＜６００の範囲で選ばれた位置に当該サーキュレータ１が配置されて用いられるときに、吹出口１３１から送り出される空気を最初に室内の側壁面Ｗ１に到達させるために、吹出口１３１から送り出される空気の流れる方向が鉛直上方向に対してなす角度θ［°］をｔａｎ−１（Ｌ／Ｈ）＜θ≦３５の範囲に設定することができるように、吹出流通路１８０の中央位置の延びる方向が、鉛直上方向に対して、ｔａｎ−１（Ｌ／Ｈ）＜θ≦３５の範囲内で選ばれた一つの値に固定された角度θ［°］で傾斜するように吹出流通路１８０が構成されている。
【０１４８】
このように構成することにより、サーキュレータ１の吹出口１３１の位置で気流を部屋Ｒの側壁面Ｗ１側に曲げる必要がない。このため、吹出流通路１８０の圧力損失がさらに低減し、消費電力がより改善されるとともに騒音がより低減される。さらに、吹出口１３１から発生する音が直接使用者の居住領域へ伝播されないので、室内空気の温度ムラを効果的に減少させるとともに、低騒音化することができる。
【０１４９】
このようにすることにより、シロッコファン１７１が起動したときの冷風または温風による不快感（ドラフト感）を解消することが可能なサーキュレータ１を提供することができる。
【０１５０】
また、サーキュレータ１の設置方法においては、送風機１７０はシロッコファン１７１を含み、このシロッコファン１７１の高さをｔとしたとき、吹出流通路１８０を形成する壁面のうち、部屋Ｒの側壁面Ｗ１から最も遠い位置に配置される壁面において、鉛直方向に対して傾斜する方向に延びる壁面の長さがｔ／ｓｉｎθ以上である。
【０１５１】
このように構成することにより、吸込口１２２、および／または、吹出口１３１から発生する音が直接使用者の居住領域へ伝播されないので、室内空気の温度ムラを効果的に減少させるとともに、低騒音化することができる。
【０１５２】
また、サーキュレータ１においては、鉛直上方向に対して傾斜する２面で挟まれた吹出流通路１８０の幅は、吹出口１３１に近づくほど縮小する。
【０１５３】
すなわち、吹出流通路１８０の奥行寸法は、吹出口１３１に近づくほど、すなわち、気流の下流に行くほど、縮小し、吹出流通路１８０は絞られた形状を有する。
【０１５４】
このように構成することにより、吹出流通路１８０が絞られた形状を有するので、吹出流通路１８０の断面積のアスペクト比が高くなり、それに伴い吹出口１３１から送出される気流の断面のアスペクト比も高くなる。このとき、気流の流通する断面積が同じでも壁面に接する割合が増大するため、周囲の気流の影響を受けにくくなる。このため、流れが収束するので、気流のポテンシャルコアが延長され、それにより気流の到達距離が延長される。すなわち、上記の構成により、運動エネルギーが静圧に変換されて流速の低下した気流の到達距離を延長することができる。
【０１５５】
また、サーキュレータ１においては、吹出流通路１８０の断面積は、吹出口１３１に近づくほど所定の割合で拡大する。
【０１５６】
このように構成することにより、吹出流通路１８０の壁面に沿う気流の剥離が抑制される。このため、流路抵抗が小さく、気流の運動エネルギーは効率良く静圧に変換される。すなわち、送風機１７０としての送風機１７０（シロッコファン１７１）の受け持つ仕事である静圧上昇の一部が、上記の、運動エネルギーが変換されることにより生み出される静圧によってまかなわれるため、送風機１７０（シロッコファン１７１）の仕事に必要となるエネルギーが少なくてすみ、少ない消費電力で所望の仕事をさせることができる。
【０１５７】
また、サーキュレータ１は、筐体１００に設けられ、吸込口１２２から取り入れられた空気中に存在する塵埃、および／または、物質を除去するエアフィルタ１５０をさらに備えてもよい。
【０１５８】
このようにすることにより、吸込口１２２から吸い込まれた空気中に存在する塵埃等の物質を除去して、清浄化された空気を室内に送り出すことができる。
【０１５９】
（実施形態１−２）
以下に本発明の実施形態１−２について図面を参照して説明する。図２１は実施形態１−２のサーキュレータを模式的に示す側面断面図である。
【０１６０】
図２１に示すように、サーキュレータ２は、床面Ｆの上または卓上に設置され、部屋の側壁面Ｗ１の近傍に配置されて用いられるサーキュレータである。サーキュレータ２は、本体と、この本体に設けられ、室内の空気を取り入れるための吸込口２２２と、本体に設けられ、空気を室内に送り出すための吹出口２３１と、本体に設けられ、吸込口２２２から吹出口２３１まで空気を移動させるための送風手段としての送風機２７０を備えている。
【０１６１】
サーキュレータ２の本体は筐体２００によって保持されている。筐体２００は床面Ｆの上に設置され、前面（正面）２１０と後面（背面）２２０と頂面（天面）２３０と、床面Ｆに接触する底面２４０とを有する。筐体２００の後面２２０は多数の格子状の吸込口２２２が設けられた穴あきパネル２２１にて覆われている。ここで、鉛直上方から見て、空気が矢印Ｖで示される方向に送り出される側のサーキュレータ２の側面を後面２２０側、その反対側を前面２１０側とする。
【０１６２】
筐体２００は、後面２２０側を部屋の側壁面Ｗ１に対向させて側壁面Ｗ１から、たとえば、３００ｍｍの間隔を設けて床面Ｆの上に設置される。筐体２００の頂面２３０には、吹出口２３１が設けられている。吹出口２３１は筐体２００の幅方向に延びる略矩形状に形成され、後方上方に臨んで設けられている。
【０１６３】
筐体２００の内部には、吸込口２２２から吹出口２３１に連通する吸込流通路２６０および吹出流通路２８０とからなる送風経路が形成されている。送風経路内には空気を送出する送風機２７０が配置されている。送風機２７０に用いられるファンとしては、シロッコファン２７１が用いられる。送風経路のうち、シロッコファン２７１の下流側には、シロッコファン２７１から吹出口２３１に至るまで空気が流れる吹出流通路２８０が形成されている。吹出流通路２８０によって、シロッコファン２７１により送出される空気を後方上方に案内する。吹出流通路２８０の断面積は、吹出口２３１に近づくほど、下流に行くほど拡大する。吹出流通路２８０は、図２と図３に示されるものと同様の構成を有する。
【０１６４】
実施形態１−１では、送風機１７０とシロッコファン１７１の部分が直立するように設けられているが、本実施形態では、送風機２７０とシロッコファン２７１の部分が傾斜して設けられ、送風機２７０とシロッコファン２７１を通過する送風経路も吹出流通路２８０と同様に傾斜している。
【０１６５】
従って、送風機２７０とシロッコファン２７１の部分の送風経路が吹出流通路２８０と同様に傾斜しているため、サーキュレータ２の設置面積はやや大きくなるが、実施形態１−１のサーキュレータ１とほぼ同等の効果が得られる。
【０１６６】
送風経路中には、吸込口２２２から本体に取り入れられた空気中に存在する塵埃、および／または、物質を除去する除去手段としてエアフィルタ２５０が設けられてもよい。また、送風経路中のシロッコファン２７１とエアフィルタ２５０との間の吸込流通路２６０には、加湿装置２９１が設けられていてもよい。さらに、サーキュレータ２の上部前面側に加湿装置２９１用の水タンク２９２が設けられていてもよい。図２１に示すサーキュレータ２には、エアフィルタ２５０、加湿装置２９１、水タンク２９２が設けられているが、エアフィルタ２５０、加湿装置２９１、水タンク２９２は設けられていなくてもよい。
【０１６７】
実施形態１−２のサーキュレータ２とサーキュレータ２の設置方法のその他の構成と効果は、実施形態１−１のサーキュレータ１とサーキュレータ１の設置方法と同様である。
【０１６８】
（第２の実施形態）
（実施形態２−１）
以下に本発明の実施形態２−１について図面を参照して説明する。図２２は実施形態２−１のサーキュレータを模式的に示す側面断面図である。前述の図１〜図３に示す実施形態１−１と同様の部分には同一の符号が付されている。
【０１６９】
図２２に示すように、本実施形態のサーキュレータ３では、筐体１００の頂面１３０は、操作部１９０が設けられる前面１１０側の第１頂面と、吹出口１３１が設けられる後面１２０側の第２頂面とから形成される。操作部１９０は、サーキュレータ３の前面１１０側に配置されてサーキュレータ３の運転モードを切り替えるために用いられる。吹出口１３１は、サーキュレータ３の後面１２０側に配置されて空気を送出するためのものである。その他の部分は実施形態１−１のサーキュレータ１と同様である。ここで、鉛直上方から見て、空気が矢印Ｖで示される方向に送り出される側のサーキュレータ３の側面を後面１２０側、その反対側を前面１１０側とする。
【０１７０】
本実施形態のサーキュレータ３によると、実施形態１−１のサーキュレータ１と同等の効果を得ることができるとともに、操作部１９０が設置される第１頂面が使用者の存在する部屋の中央側に設置され、吹出口１３１が設置される第２頂面が部屋の側壁面Ｗ１側に設けられるということが、サーキュレータ３の外観により表現される。いいかえれば、使用者が無意識のうちにサーキュレータ３の吹出口１３１を部屋の側壁面Ｗ１側に向けて配置するように、使用者にサーキュレータ３を設置させることができる。
【０１７１】
なお、吹出口１３１から送出される空気を部屋の側壁面Ｗ１に到達させない場合には、本発明のサーキュレータ３の本来の効果は損なわれる場合があるが、サーキュレータ３の操作部１９０が上記のように配置されているので、使用者に無意識のうちに、サーキュレータ３を操作部１９０が設置される第１頂面を使用者に向けて設置させることができるので、上記の効果を確実に得ることができる。
【０１７２】
さらに、操作部１９０がサーキュレータ３の頂面１３０の前面１１０側に配置されているので、操作部１９０の操作性が向上し、サーキュレータ３の運転状態を容易に操作することができる。
【０１７３】
以上のように、サーキュレータ３は、当該サーキュレータ３を操作するための操作部１９０をさらに備え、吸込口１２２が筐体１００の後面１２０に配置され、吹出口１３１が筐体１００の頂面１３０に配置され、操作部１９０は筐体１００の前面１１０側に配置される。
【０１７４】
このように構成することにより、操作部１９０が筐体１００の前面１１０側に配置され、吸込口１２２が筐体１００の後面１２０に配置されているので、使用者が無意識のうちに吸込口１２２を部屋Ｒの側壁面Ｗ１側に向けて配置するように、使用者に当該サーキュレータ３を設置させることができる。
【０１７５】
（実施形態２−２）
以下に本発明の実施形態２−２について図面を参照して説明する。図２３は実施形態２−２のサーキュレータを模式的に示す側面断面図である。前述の図１〜図３に示す実施形態１−１と同様の部分には同一の符号が付されている。
【０１７６】
図２３に示すように、本実施形態のサーキュレータ４では、操作部１９０がサーキュレータ４の前面１１０側の上部に設けられている。その他の部分は実施形態１−１のサーキュレータ１と同様である。ここで、鉛直上方から見て、空気が矢印Ｖで示される方向に送り出される側のサーキュレータ４の側面を後面１２０側、その反対側を前面１１０側とする。
【０１７７】
本実施形態のサーキュレータ４によると、実施形態１−１のサーキュレータ１と同等の効果を得ることができるとともに、操作部１９０がサーキュレータ４の前面１１０側の上部に設けられているので、操作部１９０の視認性が向上し、サーキュレータ４の運転状態を容易に確認することができる。
【０１７８】
従って、実施形態２−１に比べて操作性はやや劣るが、実施形態２−１のサーキュレータとほぼ同等の効果が得られる。
【０１７９】
（実施形態２−３）
以下に本発明の実施形態２−３について図面を参照して説明する。図２４は実施形態２−３のサーキュレータを模式的に示す側面断面図である。前述の図１〜図３に示す実施形態１−１と同様の部分には同一の符号が付されている。
【０１８０】
図２４に示すように、本実施形態のサーキュレータ５では、表示部１９１がサーキュレータ５の前面１１０側の上部に設けられるとともに、筐体１００の頂面１３０と、筐体１００の前面１１０と、吹出流通路１８０の後方上方傾斜部１８１ｄ（図２）との３面によって囲まれる空間に、操作部１９０および表示部１９１の制御基板１９２と電源基板１９３が配置されている。その他の部分は実施形態１−１のサーキュレータ１と同様である。ここで、鉛直上方から見て、空気が矢印Ｖで示される方向に送り出される側のサーキュレータ５の側面を後面１２０側、その反対側を前面１１０側とする。
【０１８１】
本実施形態のサーキュレータ５によると、実施形態１−１のサーキュレータ１と同等の効果を得ることができるとともに、操作部１９０がサーキュレータ５の頂面１３０の前面１１０側に設けられているので、操作部１９０の操作性が向上し、サーキュレータ５の運転状態を容易に操作することができ、さらに、表示部１９１がサーキュレータ５の前面１１０側の上部に設けられているので、表示部１９１の視認性が向上し、サーキュレータ５の運転状態を容易に確認することができる。また、上記の空間に制御基板１９２と電源基板１９３を収納できるとともに、制御基板１９２に近接した位置に電源基板１９３を設置できるので、制御基板１９２と電源基板１９３を電気的に結合するためのコードの長さ（図示せず）を短縮することができる。
【０１８２】
なお、図３１に示すように、従来のサーキュレータ２０においては、制御基板１９２０を置くスペースが狭いので、例えば、制御基板１９２０を筐体１０００の上部であって送風経路の前方の空間に配置し、電源基板１９３０を筐体１０００の底部であって送風機１７００の下方に配置して、二つの基板を２箇所に分断して配置する場合がある。このような場合においては、制御基板１９２０と電源基板１９３０を電気的に結合するために、長いコード（図示せず）が必要となる。この場合、比較的長いコードの引き回し方法や固定方法に留意しておかないと、例えば、生産組立時や修理時にコードが他の部材にはさみ込まれて損傷を受けるという不具合や、また、送風機の回転に伴って筐体が振動する場合などにコードが筐体に接触して、カタカタ音といった極めて耳障りな騒音を生ずる場合があるので、コードを防振材で包んだり、束ねて固定したりする必要があり、さらに部品点数や工程が増加するといった不都合があった。
【０１８３】
本発明のサーキュレータ５においては、上述したようにコード（図示せず）の長さを短縮することができるので、従来の場合に生じていた、生産組立時にコードをはさみ込む不具合や、騒音の問題を未然に防ぐとともに、部品点数や工程を削減でき、低コストのサーキュレータ５を得ることができる。
【０１８４】
実施形態２−３のサーキュレータ５とサーキュレータ５の設置方法のその他の構成と効果は、実施形態２−１のサーキュレータ３とサーキュレータ３の設置方法と同様である。
【０１８５】
なお、第２の実施形態を要約すると、以下のとおりである。
【０１８６】
（１）サーキュレータは、床上または卓上に設置され、部屋の側壁面の近傍に配置されて用いられるサーキュレータであって、本体と、この本体に設けられ、室内の空気を取り入れるための吸込口と、本体に設けられ、取り入れた空気を室内に送り出すための吹出口と、本体に設けられ、吸込口から吹出口まで空気を移動させるための送風手段とを備える。吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該サーキュレータが配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【０１８７】
上記のように構成されるサーキュレータにおいて、サーキュレータの筐体の頂面は、一方に配置されてサーキュレータの運転モードを切り替える操作部が設けられる第１頂面と、他方に配置されて空気を送出する吹出口が設けられる第２頂面との２つの異なるほぼ平面に分割されて配置され、鉛直上方から見て、第２頂面に対して、空気が送出される側と異なる側に第１頂面が配置されることを特徴とする。
【０１８８】
この構成によると、操作部が設置される第１頂面が使用者の存在する部屋の中央側に設置され、吹出口が設置される第２頂面が部屋の側壁面側に設けられるということが、サーキュレータの外観により表現される。本サーキュレータの操作部が上記のように配置されているので、使用者が無意識のうちに、吹出口を部屋の側壁面側に向けるように、使用者に本サーキュレータを設置させることができる。
【０１８９】
これにより、吹出口が設置される第２頂面が部屋の側壁面側に配置されるので、吹出口から送出される気流が直ちにサーキュレータに吸引される気流が少なくなるとともに、吹出口から送出される気流の横方向への広がりが抑制されるため、気流の到達距離が大幅に延長され、部屋のサーキュレータから遠い位置における風速が大幅に増加する。その結果、部屋のサーキュレータから遠い位置における空気環境の改善効果を高めることができ、広範囲の室内空気の温度ムラを効果的に解消することができる。また、無駄に送出されていた気流が少なくてすむため、少ない風量でも所望の空気環境の改善効果を得ることができる。少ない風量で同一の空気環境の改善効果が実現可能なため、騒音が低減される。
【０１９０】
なお、吹出口から送出される空気を部屋の側壁面に到達させない場合には、上記の効果は損なわれる場合があるが、本サーキュレータの操作部が上記のように配置されているので、使用者に無意識のうちに、操作部が設置される第１頂面を使用者に向けて本サーキュレータを設置させることができるので、上記の効果を確実に得ることができる。
【０１９１】
さらに、操作部をこのように配置することにより、操作しやすいサーキュレータを得ることができる。
【０１９２】
（２）上記の構成のサーキュレータにおいて、第２頂面は、第１頂面から離れるに従い、下方になるように傾斜する傾斜面にて構成されることを特徴とする。
【０１９３】
この構成によると、吹出口は側壁面に面するように配置される。
【０１９４】
このような吹出口から放出される騒音が使用者の存在する部屋の中央側に伝播する経路としては、側壁面に衝突反射して伝播する経路と、吹出口から直接伝播する経路とがある。前者の経路を伝播する騒音は側壁面に反射吸収されて減衰されて伝播するため、低騒音化することができる。また、後者の経路を伝播する騒音は、回折により伝播されるが、吹出口が側壁面に面するように傾斜しているため、回折の効果が高まり、減衰されて伝播するため、低騒音化することができる。
【０１９５】
（３）上記の構成のサーキュレータにおいて、第１頂面は、第２頂面から離れるに従い、下方になるように傾斜する傾斜面にて構成されることを特徴とする。
【０１９６】
この構成によると、操作部が設置される第１頂面が使用者の存在する部屋の中央側に面するように設置される。これにより、操作部の視認性が向上し、サーキュレータの運転状態を容易に確認することができる。
【０１９７】
（４）サーキュレータは、床上または卓上に設置され、部屋の側壁面の近傍に配置されて用いられるサーキュレータであって、本体と、この本体に設けられ、室内の空気を取り入れるための吸込口と、本体に設けられ、取り入れた空気を室内に送り出すための吹出口と、本体に設けられ、吸込口から吹出口まで空気を移動させるための送風手段とを備える。吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該サーキュレータが配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【０１９８】
上記の構成のサーキュレータにおいて、空気を送出する吹出口はサーキュレータの筐体の頂面に設けられ、サーキュレータの運転モードを切り替える操作部はサーキュレータの筐体側部の上部に設けられ、鉛直上方から見て、吹出口が設けられる頂面に対して、空気が送出される側と異なる側の筐体側部の上部に操作部が設けられることを特徴とする。
【０１９９】
この構成によると、操作部が配置されるサーキュレータの筐体側部が使用者の存在する部屋の中央側に設置されるということが、サーキュレータの外観により表現される。このように本サーキュレータの操作部が配置されているので、使用者が無意識のうちに、吹出し気流が部屋の側壁面側に送出されるように、使用者にサーキュレータを配置させることができる。
【０２００】
このため、吹出口から送出される気流が直ちにサーキュレータに吸引される気流が少なくなるとともに、吹出口から送出される気流の横方向への広がりが抑制されるため、気流の到達距離が大幅に延長され、部屋のサーキュレータから遠い位置における風速が大幅に増加する。その結果、部屋のサーキュレータから遠い位置における空気環境の改善効果を高めることができ、広範囲の室内空気の温度ムラを効果的に解消することができる。また、無駄に送出されていた気流が少なくてすむため、少ない風量でも所望の空気環境の改善効果を得ることができる。少ない風量で同一の空気環境の改善効果が実現可能なため、騒音が低減される。
【０２０１】
なお、吹出口から送出される空気を部屋の側壁面に到達させない場合には、上記の効果は損なわれる場合があるが、本サーキュレータの操作部は、使用者が無意識のうちに、操作部が配置される筐体側部の上部を使用者に向けるように、使用者に本サーキュレータを設置させることができるので、上記の効果を確実に得ることができる。
【０２０２】
さらに、操作部をこのように配置することにより、離れた位置から操作部を見やすいサーキュレータを得ることができる。
【０２０３】
（５）上記の構成のサーキュレータにおいて、頂面は、操作部が設けられた筐体側部の上部から離れるに従い、下方になるように傾斜する傾斜面にて構成されることを特徴とする。
【０２０４】
この構成によると、吹出口は部屋の側壁面に面するように配置される。
【０２０５】
このような吹出口から放出される騒音が使用者の存在する部屋の中央側に伝播する経路としては、側壁面に衝突反射して伝播する経路と、吹出口から直接伝播する経路とがある。前者の経路を伝播する騒音は側壁面に反射吸収されて減衰されて伝播するため、低騒音化することができる。また、後者の経路を伝播する騒音は、回折により伝播されるが、吹出口が側壁面に面するように傾斜しているため、回折の効果が高まり、減衰されて伝播するため、低騒音化することができる。
【０２０６】
（６）上記の構成のサーキュレータは、表示部をさらに備え、鉛直上方から見て、吹出口が設けられる頂面に対して、空気が送出される側と異なる側の筐体側部の上部に表示部が設けられることを特徴とする。
【０２０７】
この構成によると、表示部が設置されるサーキュレータの筐体側部が使用者の存在する部屋の中央側に配置されるということが、サーキュレータの外観により表現される。
【０２０８】
このように本サーキュレータの操作部が配置されているので、使用者が無意識のうちに、吹出口を部屋の側壁面側に向けるように、使用者に本サーキュレータを設置させることができる。これにより、上記の効果をさらに確実に得ることができる。
【０２０９】
さらに、このように表示部を配置することにより、離れた位置から表示部を見やすいサーキュレータを得ることができる。
【０２１０】
（７）上記の構成のサーキュレータにおいて、吹出口は筐体の頂面かつ部屋の側壁面に近接する位置に設けられ、送風機は、筐体内の下部であって部屋の側壁面から離れた位置に送風機の出口を上方に向けて設けられ、送風機の出口と吹出口を連通する吹出流通路は、筐体内の上部であって部屋の側壁面から離れた位置に設けられた送風機の出口と、筐体の頂面かつ部屋の側壁面に近接する位置に設けられた吹出口とを連通するとともに送風機の出口から吹出口に向けて傾斜して構成され、頂面と、鉛直上方から見て吹出口から空気が送出される側と異なる側の筐体側部と、吹出流通路の側壁であって鉛直上方から見て吹出口から空気が送出される側と異なる側の吹出流通路の側壁との３面によって囲まれる空間に、操作部および／または表示部の制御基板、ならびに、電源基板が設置されることを特徴とする。
【０２１１】
この構成によると、上記の３面によって囲まれる部分に空間が生まれ、この部分に操作部および／または表示部の制御基板、ならびに、電源基板が設置される。
【０２１２】
これにより、制御基板に近接した位置に電源基板を設置できるので、制御基板と電源基板を電気的に結合するコードの長さを短縮することができる。
【０２１３】
（第３の実施形態）
（実施形態３−１）
以下に本発明の実施形態３−１について図面を参照して説明する。図２５は実施形態３−１のサーキュレータを模式的に示す側面断面図である。前述の図１〜図３に示す実施形態１−１と同様の部分には同一の符号が付されている。
【０２１４】
図２５に示すように、本実施形態のサーキュレータ６では、筐体１００の頂面が段差部を介して二つの上方頂面部１３０ａと下方頂面部１３０ｂから構成され、吹出口１３１ａが上記の段差部に配置され、部屋の側壁面Ｗ１に対向するように設けられている。吹出口１３１ａと送風機１７０の出口とを連通するように吹出流通路１８０ｘが形成されている。その他の部分は実施形態１−１のサーキュレータ１と同様である。
【０２１５】
本実施形態のサーキュレータ６によると、吹出口１３１ａから放出される音は、直接使用者のいる居住領域へ伝播せず、回折により伝播する。吹出口１３１ａから回折により伝播する音のエネルギーは、直接使用者の居住領域へ伝播された場合に比べてはるかに音のエネルギーが減衰されるため、吹出口１３１ａから使用者のいる居住領域へ伝播される音が大幅に減少する。この作用により、吹出口１３１ａから放出された音は回折効果により大幅に減衰されて居住領域に伝播するため、サーキュレータ６の吹出口１３１ａから放出される騒音を大幅に低騒音化することができる。
【０２１６】
従って、吹出口１３１ａが側壁面Ｗ１に対向して設けられるため、サーキュレータ６の高さ方向の寸法はやや大きくなるが、第１の実施形態のサーキュレータよりもさらに低騒音化の効果が得られる。
【０２１７】
（実施形態３−２）
以下に本発明の実施形態３−２について図面を参照して説明する。図２６は実施形態３−２のサーキュレータを模式的に示す側面断面図である。前述の図１〜図３に示す実施形態１−１と同様の部分には同一の符号が付されている。
【０２１８】
図２６に示すように、本実施形態のサーキュレータ７では、筐体１００の頂面が段差部を介して二つの上方頂面部１３０ａと下方頂面部１３０ｂから構成され、吹出口１３１ｂが上記の段差部に配置され、部屋の側壁面Ｗ１に対向するように設けられている。吹出口１３１ｂと送風機１７０の出口とを連通するように吹出流通路１８０ｙが形成されている。特に、本実施形態のサーキュレータ７では、吹出流通路１８０ｙを部屋の側壁面Ｗ１側に屈曲させ、吹出口１３１ｂが部屋の側壁面Ｗ１に対向するように設けられている。その他の部分は実施形態１−１のサーキュレータ１と同様である。
【０２１９】
本実施形態のサーキュレータ７によると、吹出流通路１８０ｙを送風機１７０の出口から吹出口１３１ｂまで滑らかに屈曲させて接続しているため、流路抵抗の増加を抑制できる。
【０２２０】
さらに、吹出口１３１ｂから放出される音は、直接使用者のいる居住領域へ伝播せず、回折により伝播する。吹出口１３１ｂから回折により伝播する音のエネルギーは、直接使用者の居住領域へ伝播された場合に比べてはるかに音のエネルギーが減衰されるため、吹出口１３１ｂから使用者のいる居住領域へ伝播される音が大幅に減少する。この作用により、吹出口１３１ｂから放出された音は回折効果により大幅に減衰されて居住領域に伝播するため、サーキュレータ７の吹出口１３１ｂから放出される騒音を大幅に低騒音化することができる。
【０２２１】
従って、吹出口１３１ｂが部屋の側壁面Ｗ１に対向して設けられるため、サーキュレータ７の高さ方向の寸法はやや大きくなるが、第１の実施形態のサーキュレータよりも、流路抵抗の増加を抑制しつつ、さらに低騒音化の効果が得られる。
【０２２２】
なお、第３の実施形態を要約すると、以下のとおりである。
【０２２３】
（１）サーキュレータは、床上または卓上に設置され、部屋の側壁面の近傍に配置されて用いられるサーキュレータであって、本体と、この本体に設けられ、室内の空気を取り入れるための吸込口と、本体に設けられ、取り入れられた空気を室内に送り出すための吹出口と、本体に設けられ、吸込口から吹出口まで空気を移動させるための送風手段と、この送風手段から吹出口に至るまで空気が流れる吹出流通路とを備える。
【０２２４】
上記のように構成されるサーキュレータにおいて、吹出流通路は、部屋の側壁面側に屈曲および／または傾斜することを特徴とする。
【０２２５】
この構成によると、吹出口から放出される音は、部屋の側壁面側に放出される。音波は直進性がよいので、放出された音が居住領域へ伝播するためには、部屋の側壁面に反射して伝播する、または、吹出口から回折により伝播する、ことになるので、吹出口から直接使用者の居住領域へ伝播される音が大幅に減少する。さらに、吹出流通路内においても音が壁面で反射する。
【０２２６】
これにより、部屋の側壁面に反射した音は、一部が部屋の側壁面により音のエネルギーを吸収されて減衰し、他の一部が反射の際の干渉により減衰する。また、吹出口から回折により伝播する音のエネルギーは、直接使用者の居住領域へ伝播された場合に比べてはるかに減衰される。さらに、吹出流通路内においても音が壁面で反射するので、一部は壁面により音のエネルギーを吸収されて減衰し、他の一部は反射の際の干渉により、音のエネルギーが減衰する。すなわち、吹出口から放出された音は反射による干渉効果と回折効果により大幅に減衰されて居住領域に伝播するため、サーキュレータの吹出口から放出される騒音を大幅に低騒音化することができる。
【０２２７】
（２）上記の構成のサーキュレータにおいて、吹出流通路は、１０°〜３５°の範囲内で屈曲および／または傾斜することを特徴とする。
【０２２８】
この構成によると、吹出流通路の屈曲部および／または傾斜部における流路抵抗の増加が抑制される。
【０２２９】
これにより、吹出流通路を屈曲および／または傾斜させるほど、反射、干渉の効果は高まるが、流路抵抗は大きく増加し、低騒音化の効果が損なわれてしまう。そこで、屈曲および／または傾斜させる角度を１０°〜３５°の範囲内とすることにより、流路抵抗の増加を抑制しつつ、音の反射、干渉の効果も得られるため、低騒音化の効果が高まる。
【０２３０】
（３）上記の構成のサーキュレータにおいて、吹出口は、部屋の側壁面に対向して設けられることを特徴とする。
【０２３１】
この構成によると、吹出口から放出される音は、部屋の側壁面側に放出される。音波は直進性がよいので、放出された音が居住領域へ伝播するには、部屋の側壁面に反射して伝播する、または吹出口から回折により伝播する、ことになるので、吹出口から直接使用者の居住領域へ伝播される音が大幅に減少する。
【０２３２】
これにより、吹出口から放出される音は、直接使用者のいる居住領域へ伝播せず、回折により伝播する。吹出口から回折により伝播する音のエネルギーは、直接使用者の居住領域へ伝播された場合に比べてはるかに音のエネルギーが減衰されるため、吹出口から使用者のいる居住領域へ伝播される音が大幅に減少する。この作用により、吹出口から放出された音は回折効果により大幅に減衰されて居住領域に伝播するため、サーキュレータの吹出口から放出される騒音を大幅に低騒音化することができる。
【０２３３】
第３実施形態のサーキュレータとサーキュレータの設置方法のその他の構成と効果は、第１実施形態のサーキュレータとサーキュレータの設置方法と同様である。
【０２３４】
（第４の実施形態）
（実施形態４−１）
以下に本発明の実施形態４−１について図面を参照して説明する。図２７は実施形態４−１のサーキュレータを模式的に示す側面断面図である。
【０２３５】
図２７に示すように、サーキュレータ８は、本体と、この本体に設けられ、室内の空気を取り入れるための吸込口８２２と、本体に設けられ、取り入れた空気を室内に送り出すための吹出口８３１と、本体に設けられ、吸込口８２２から吹出口８３１まで空気を移動させるための送風手段としての送風機８７０を備えている。
【０２３６】
サーキュレータ８の本体は筐体８００によって保持されている。筐体８００は床面Ｆの上に支持部８９０によって保持されて設置され、前面（正面）８１０と後面（背面）８２０と頂面（天面）８３０と、底面８４０とを有する。筐体８００の後面８２０は多数の格子状の吸込口８２２が設けられた穴あきパネル８２１にて覆われている。ここで、鉛直上方から見て、空気が矢印Ｖで示される方向に送り出される側のサーキュレータ８の側面を後面８２０側、その反対側を前面８１０側とする。
【０２３７】
筐体８００の頂面８３０には、吹出口８３１が設けられている。吹出口８３１は、筐体８００の幅方向に延びる略矩形状に形成され、筐体８００を傾斜させることにより、後方上方に臨むことができるように設けられている。
【０２３８】
筐体８００の内部には、吸込口８２２から吹出口８３１に連通する吸込流通路８６０および吹出流通路８８０とからなる送風経路が形成されている。送風経路内には空気を送出する送風機８７０が配置されている。送風機８７０に用いられるファンとしては、シロッコファン８７１が用いられる。送風経路のうち、シロッコファン８７１の下流側には、シロッコファン８７１から吹出口８３１に至るまで空気が流れる吹出流通路８８０が形成されている。吹出流通路８８０は、傾斜しておらず、直線状の流路である。筐体８００を部屋の側壁面Ｗ１に向かって傾斜させることにより、吹出流通路８８０によって、シロッコファン８７１により送出される空気を後方上方に案内する。本実施形態では、送風機８７０とシロッコファン８７１と吹出流通路８８０の部分が直線状に整列するように設けられ、筐体８００を傾斜させることにより、送風機８７０とシロッコファン８７１を通過する送風経路も吹出流通路８８０と同様に傾斜するようになっている。筐体８００を鉛直方向から角度θ、傾斜させることにより、吹出口８３１から送り出される空気も鉛直方向から角度θだけ傾斜する方向に送出される。このように、吹出口８３１から送り出される空気の流れる方向が鉛直上方向に対してなす角度θと、筐体８００の傾斜角とが一致する。筐体８００の傾斜の角度を傾斜角θとする。
【０２３９】
サーキュレータ８には、除去手段としてエアフィルタ２５０を設けてもよい。その他の構成は、実施形態１−１のサーキュレータ１と同様である。
【０２４０】
本実施形態のサーキュレータ８によると、サーキュレータ８の駆動時には、筐体８００を部屋の側壁面Ｗ１に向かって傾斜させるため、サーキュレータ８の吹出口８３１の位置で気流を側壁面Ｗ１に向かう方向に曲げる必要がないので、送風経路の圧力損失が低減し、消費電力が改善される。
【０２４１】
従って、吹出流通路８８０が傾斜していないため、低騒音化の効果はやや劣るが、第１の実施形態のサーキュレータよりもさらに省エネルギーの効果が得られる。
【０２４２】
また、支持部８９０によって筐体８００の傾斜の角度θの設定を変更することにより、筐体８００を使用者の要望に応じた角度に設定変更可能な構成となるので、部屋の高さや、設置する位置に応じて傾斜角θを変更することができ、サーキュレータの最適な設置場所の範囲を拡げることができる。
【０２４３】
さらに、傾斜角θを０°に設定して筐体８００を保持する時には、サーキュレータ８の奥行き寸法が最小となり、傾斜角θを９０°に設定して筐体８００を保持する時には、サーキュレータ８の高さ寸法が最小となるため、収納時などにコンパクトとなり、使用者の利便性を大幅に向上させることができる。
【０２４４】
なお、図２７に示すサーキュレータ８にはエアフィルタ８５０が設けられているが、エアフィルタ８５０が設けられなくてもよい。
【０２４５】
以上のように、サーキュレータ８の設置方法は、床面Ｆ上に設置され、部屋Ｒの側壁面Ｗ１の近傍に配置されて用いられるサーキュレータ８の設置方法であって、サーキュレータ８は、筐体８００と、筐体８００に設けられ、室内の空気を取り入れるための吸込口８２２と、筐体８００に設けられ、取り入れた空気を室内に送り出すための吹出口８３１と、筐体８００に設けられ、吸込口８２２から吹出口８３１まで空気を移動させるための送風機８７０とを備え、吹出口８３１の中央位置から対向する最寄りの部屋Ｒの側壁面Ｗ１までの距離をＬ［ｍｍ］、吹出口８３１の中央位置から部屋Ｒの天井面Ｓまでの距離をＨ［ｍｍ］とし、距離Ｌが１００＜Ｌ＜６００の範囲で選ばれた位置に当該サーキュレータ８が配置されて用いられるときに、吹出口８３１から送り出される空気を最初に室内の側壁面Ｗ１に到達させるために、吹出口８３１から送り出される空気の流れる方向が鉛直上方向に対してなす角度θ［°］をｔａｎ−１（Ｌ／Ｈ）＜θ≦３５の範囲に設定する。
【０２４６】
このようにサーキュレータ８が設置されることにより、床面Ｆ上に設置され、部屋Ｒの側壁面Ｗ１の近傍に配置されるサーキュレータ８において、吹出口８３１から空気を、鉛直上方に対して所定の角度で送り出して部屋Ｒの側壁面Ｗ１に到達させ、次に、その空気を部屋Ｒの側壁面Ｗ１に沿わせて流通させ、さらに、天井、他の側壁面Ｗ１に沿わせて部屋Ｒ内に空気を循環させ、部屋Ｒ内の空気を吸込口８２２から吸引するように、空気の吹出し気流の角度が設定される。この構成によると、吹出口８３１から送り出される気流が直ちにサーキュレータ８に吸引される気流が少なくなるとともに、吹出口８３１から送出される気流の横方向への広がりが抑制されるため、気流の到達距離が大幅に延長され、部屋Ｒ内でサーキュレータ８から遠い位置における風速が大幅に増加する。
【０２４７】
その結果、部屋Ｒ内でサーキュレータ８から遠い位置における空気環境の改善効果を高めることができ、広範囲の室内空気の温度ムラを効果的に減少させることができる。また、無駄に送り出されていた気流を減らすことができるため、少ない風量でも所望の空気環境の改善効果を得ることができる。少ない風量で同一の空気環境の改善効果が実現可能であるため、消費電力、及び騒音を低減することができる。
【０２４８】
このようにすることにより、シロッコファン８７１が起動したときの冷風または温風による不快感（ドラフト感）を解消することが可能なサーキュレータ８の設置方法を提供することができる。
【０２４９】
また、サーキュレータ８の設置方法においては、サーキュレータ８は、送風機８７０から吹出口８３１に至るまで空気が流れる吹出流通路８８０をさらに備え、吹出流通路８８０が部屋Ｒの側壁面Ｗ１に向かう方向に傾斜するようにサーキュレータ８を配置する。
【０２５０】
このようにすることにより、サーキュレータ８の吹出口８３１の位置で気流を部屋Ｒの側壁面Ｗ１側に曲げる角度を小さくすることができる。このため、吹出流通路８８０の圧力損失が低減し、消費電力が改善されるとともに騒音が低減される。さらに、吹出口８３１から発生する音が直接使用者の居住領域へ伝播されないので、室内空気の温度ムラを効果的に減少させるとともに、低騒音化することができる。
【０２５１】
また、サーキュレータ８の設置方法においては、サーキュレータ８は、送風機８７０から吹出口８３１に至るまで空気が流れる吹出流通路８８０をさらに備え、吹出流通路８８０の中央位置の延びる方向が、鉛直上方向に対して、ｔａｎ−１（Ｌ／Ｈ）＜θ≦３５の範囲内で選ばれた一つの値に固定された角度θ［°］で傾斜するように配置する。
【０２５２】
このようにすることにより、サーキュレータ８の吹出口８３１の位置で気流を部屋Ｒの側壁面Ｗ１側に曲げる角度を小さくすることができる。このため、吹出流通路８８０の圧力損失が低減し、消費電力が改善されるとともに騒音が低減される。さらに、吹出口８３１から発生する音が直接使用者の居住領域へ伝播されないので、室内空気の温度ムラを効果的に減少させるとともに、低騒音化することができる。
【０２５３】
また、サーキュレータ８は、床面Ｆ上に設置され、部屋Ｒの側壁面Ｗ１の近傍に配置されて用いられるサーキュレータ８であって、筐体８００と、筐体８００に設けられ、室内の空気を取り入れるための吸込口８２２と、筐体８００に設けられ、取り入れた空気を室内に送り出すための吹出口８３１と、筐体８００に設けられ、吸込口８２２から吹出口８３１まで空気を移動させるための送風機８７０と、送風機８７０から吹出口８３１に至るまで空気が流れる吹出流通路８８０とを備え、吹出口８３１の中央位置から対向する最寄りの部屋Ｒの側壁面Ｗ１までの距離をＬ［ｍｍ］、吹出口８３１の中央位置から部屋Ｒの天井面Ｓまでの距離をＨ［ｍｍ］とし、距離Ｌが１００＜Ｌ＜６００の範囲で選ばれた位置に当該サーキュレータ８が配置されて用いられるときに、吹出口８３１から送り出される空気を最初に室内の側壁面Ｗ１に到達させるために、吹出口８３１から送り出される空気の流れる方向が鉛直上方向に対してなす角度θ［°］をｔａｎ−１（Ｌ／Ｈ）＜θ≦３５の範囲に設定することができるように、吹出流通路８８０の中央位置の延びる方向が、鉛直上方向に対して、ｔａｎ−１（Ｌ／Ｈ）＜θ≦３５の範囲内で選ばれた一つの値に固定された角度θ［°］で傾斜するように吹出流通路８８０が構成されている。
【０２５４】
このように構成することにより、サーキュレータ８の吹出口８３１の位置で気流を部屋Ｒの側壁面Ｗ１側に曲げる必要がない。このため、吹出流通路８８０の圧力損失がさらに低減し、消費電力がより改善されるとともに騒音がより低減される。さらに、吹出口８３１から発生する音が直接使用者の居住領域へ伝播されないので、室内空気の温度ムラを効果的に減少させるとともに、低騒音化することができる。
【０２５５】
このようにすることにより、シロッコファン８７１が起動したときの冷風または温風による不快感（ドラフト感）を解消することが可能なサーキュレータ８を提供することができる。
【０２５６】
また、サーキュレータ８は、筐体８００に設けられ、吸込口８２２から取り入れられた空気中に存在する塵埃、および／または、物質を除去するエアフィルタ８５０をさらに備えてもよい。
【０２５７】
このようにすることにより、吸込口８２２から吸い込まれた空気中に存在する塵埃等の物質を除去して、清浄化された空気を室内に送り出すことができる。
【０２５８】
（実施形態４−２）
以下に本発明の実施形態４−２について図面を参照して説明する。図２８は実施形態４−２のサーキュレータを模式的に示す側面断面図である。前述の図２７に示す実施形態４−１と同様の部分には同一の符号が付されている。
【０２５９】
図２８に示すように、本実施形態のサーキュレータ９では、支持部９９０の構造が実施形態４−１と異なる。その他の部分は実施形態４−１と同様である。
【０２６０】
本実施形態のサーキュレータ９によると、支持部９９０は筐体８００の側面に設けられ、その支持部９９０を回転させることにより筐体８００を傾斜させて保持するように設定される。
【０２６１】
従って、実施形態４−１に比べて、筐体８００の底面８４０の一部が床面Ｆに接するため、サーキュレータ９の前面８１０側の空気をやや吸い込みにくくなるが、実施形態４−１のサーキュレータとほぼ同等の効果が得られる。
【０２６２】
なお、第４の実施形態を要約すると、以下のとおりである。
【０２６３】
（１）サーキュレータは、床上または卓上に設置され、部屋の側壁面の近傍に配置されて用いられるサーキュレータであって、本体と、この本体に設けられ、室内の空気を取り入れるための吸込口と、本体に設けられ、取り入れた空気を室内に送り出すための吹出口と、本体に設けられ、吸込口から吹出口まで空気を移動させるための送風手段と、筐体を保持して筐体の姿勢を保つ支持部とを備える。吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該サーキュレータが配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【０２６４】
上記のように構成されるサーキュレータにおいて、支持部は、サーキュレータの駆動時に、筐体を鉛直上方に対してｔａｎ−１（Ｌ／Ｈ）＜θ≦３５の範囲内に設定される角度θをもって後方に傾斜させて保持することを特徴とする。
【０２６５】
この構成によると、サーキュレータの駆動により吹出口から送出された空気は、鉛直上方に対して上記の角度θをなして後方上方に送出される。本サーキュレータを部屋の側壁面近傍に設置し、本サーキュレータの前面を部屋の中央側に向けて配置した場合には、吹出口から送出された空気は、最初に部屋の側壁面に到達し、この側壁面に沿って上方へ流通し、天井、他の側壁面に沿って部屋内に空気が循環し、そして吸込口から吸引されるといった挙動を示す。このような気流が生ずると、吹出口から送出される気流が直ちにサーキュレータに吸引される気流が少なくなるとともに、吹出口から送出される気流の横方向への広がりが抑制されるため、気流の到達距離が大幅に延長され、部屋のサーキュレータから遠い位置における風速が大幅に増加する。また、部屋の壁面近傍の風速も大幅に増加する。
【０２６６】
その結果、部屋のサーキュレータから遠い位置における空気環境の改善効果を高めることができ、広範囲の室内空気の温度ムラを効果的に解消することができる。また、無駄に送出されていた気流が少なくてすむため、少ない風量でも所望の空気環境の改善効果を得ることができる。少ない風量で同一の空気環境の改善効果が実現可能なため、騒音が低減される。
【０２６７】
なお、サーキュレータの駆動時には、筐体を部屋の側壁面に向かって傾斜させるため、サーキュレータの吹出口の位置で気流を側壁面に向かう方向に曲げる必要がないので、送風経路の圧力損失が低減し、消費電力が改善される。また、吹出口から発生する音が直接使用者の居住領域へ伝播されないので騒音が低減される。さらに、サーキュレータが駆動していない時には、筐体を傾斜させる必要がないので、サーキュレータの設置面積を小さくすることができる。
【０２６８】
（２）上記の構成のサーキュレータにおいて、支持部は、傾斜角θを上記の範囲内の任意の値に設定して筐体を保持することを特徴とする。
【０２６９】
この構成によると、支持部の傾斜角θの設定を変更することにより、筐体を使用者の要望に応じた角度に設定変更可能な構成となる。これにより、部屋の高さや、設置する位置に応じて傾斜角θを変更することができ、サーキュレータの最適な設置場所の範囲を拡げることができる。
【０２７０】
（３）上記の構成のサーキュレータにおいて、支持部は、サーキュレータが駆動しない時に、傾斜角θを０°、および／または、９０°に設定して、筐体を保持することを特徴とする。
【０２７１】
この構成によると、傾斜角度θを０°に設定して筐体を保持する時には、サーキュレータの奥行き寸法が最小となり、傾斜角度θを９０°に設定して筐体を保持する時には、サーキュレータの高さ寸法が最小となる。これにより、収納時などにコンパクトとなり、使用者の利便性を大幅に向上させることができる。
【０２７２】
（比較の形態）
以下に本発明の比較の形態について図面を参照して説明する。
【０２７３】
図２９は本発明の比較の形態のサーキュレータを模式的に示す側面断面図である。
【０２７４】
図２９に示すように、サーキュレータ５０は、床面Ｆの上または卓上に設置され、部屋の側壁面Ｗ１の近傍に配置されて用いられるサーキュレータである。サーキュレータ５０は、本体と、この本体に設けられ、室内の空気を取り入れるための吸込口５０２２と、本体に設けられ、空気を室内に送り出すための吹出口５０３１と、本体に設けられ、吸込口５０２２から吹出口５０３１まで空気を移動させるための送風手段としての送風機５０７０を備えている。
【０２７５】
サーキュレータ５０の本体は筐体５０００によって保持されている。筐体５０００は床面Ｆの上に設置され、前面（正面）５０１０と後面（背面）５０２０と頂面（天面）５０３０と、床面Ｆに接触する底面５０４０とを有する。筐体５０００の後面５０２０は多数の格子状の吸込口５０２２が設けられた穴あきパネル５０２１にて覆われている。ここで、鉛直上方から見て、空気が矢印Ｖで示される方向に送り出される側のサーキュレータ５０の側面を前面５０１０側、その反対側を後面５０２０側とする。
【０２７６】
筐体５０００は、後面５０２０側を部屋の側壁面Ｗ１に対向させて側壁面Ｗ１から、所定の間隔を設けて床面Ｆの上に設置される。筐体５０００の頂面５０３０には、吹出口５０３１が設けられている。吹出口５０３１は筐体５０００の幅方向に延びる略矩形状に形成され、前方上方に臨んで設けられている。
【０２７７】
筐体５０００の内部には、吸込口５０２２から吹出口５０３１に連通する吸込流通路５０６０および吹出流通路５０８０とからなる送風経路が形成されている。送風経路内には空気を送出する送風機５０７０が配置されている。送風機５０７０に用いられるファンとしては、シロッコファン５０７１が用いられる。送風経路のうち、シロッコファン５０７１の下流側には、シロッコファン５０７１から吹出口５０３１に至るまで空気が流れる吹出流通路５０８０が形成されている。吹出流通路５０８０によって、シロッコファン５０７１により送出される空気を前方上方に案内する。吹出流通路５０８０の断面積は、吹出口５０３１に近づくほど、下流に行くほど拡大する。吹出流通路５０８０は、図２と図３に示されるものと同様の構成を有する。
【０２７８】
比較の形態のサーキュレータ５０では、吹出流通路５０８０を人が存在する空間（温度ムラを解消したい空間）の方向へ傾斜させている。その他の部分は実施形態１−１と同様である。
【０２７９】
なお、図２９に示すサーキュレータ５０には、吸込口５０２２から本体に取り入れられた空気中に存在する塵埃、および／または、物質を除去するエアフィルタ５０５０が設けられているが、エアフィルタ５０５０はなくてもよい。
【０２８０】
比較の形態のサーキュレータ５０によると、吹出口５０３１から空気を鉛直上方に対してｔａｎ−１（Ｌ／Ｈ）＜θ≦３５の範囲内で選ばれた一つの角度をなして温度ムラを解消したい空間側へ送出して天井面に到達させている。斜め方向から天井面に衝突するため、気流は、衝突した壁面に対してなす角度が鋭角になる方向には流れにくい。つまり、衝突した壁面に対してなす角度が鈍角になる方向（温度ムラを解消したい空間側）に流れやすいため、気流が鉛直上方（θ＝０°）に送出される場合よりも温度ムラを解消したい空間側へ流れる気流が多くなる。すなわち、温度ムラを解消したい空間側へ意図して気流を送出することができ、気流の到達距離が延長される。
【０２８１】
従って、人が存在する空間（温度ムラを解消したい空間）の方向へ吹出流通路５０８０が傾斜しているため、低騒音化の効果はやや劣るが、第１の実施形態とほぼ同等の効果が得られる。
【０２８２】
ここで、吹出口５０３１から空気が鉛直上方に対して３５°よりも大きな角度をなして温度ムラを解消したい空間側へ送出される場合は、不快なドラフト感により風ストレスを与える恐れがある。
【０２８３】
次に、上述した実施形態１−１（図１）、実施形態１−２（図２１）、実施形態３−１（図２５）、実施形態３−２（図２６）、比較の形態（図２９）のサーキュレータを用いて測定した騒音の結果について、従来のサーキュレータ（図３０）と比較して説明する。
【０２８４】
まず、実施形態１−１のサーキュレータと従来技術のサーキュレータを比較する。
【０２８５】
実施形態１−１のサーキュレータは、吸込口を後面側（背面側）に配置することによって、吸込口からの音が直接前面側へ漏れることを防止している。前面側へ音が伝わるまでに、音の進行方向は１８０°向きを変えられることになり、その間に回折効果で音が減衰することによって、低騒音化することができる。
【０２８６】
また、吹出流通路を傾斜させ、鉛直上方から見て吹出口からシロッコファンが見えないようにしているため、吹出流通路において少なくとも１回は吹出流通路を形成する壁面に衝突することになる。音が壁面に衝突すると反射されるが、そのすべてがそのまま反射されるわけではなく、一部は透過し、また、一部は壁面に衝突した際に熱エネルギーや、壁面の振動エネルギーとして失われ、減衰する。また、音が反射されると吹出流通路内で音の干渉が生じやすくなり、さらに音が減衰することになり、低騒音化することができる。
【０２８７】
さらに、吹出流通路を人が存在する空間と反対方向に傾斜させることにより、吹出口から放出された音は従来よりも回折して人が存在する空間へと伝播することになるため、音の減衰効果が高まり、低騒音化することができる。
【０２８８】
従って、実施形態１−１のサーキュレータは、従来技術のサーキュレータに比べて、風量が約４ｍ３／ｍｉｎのとき、約４ｄＢの低騒音化ができる。
【０２８９】
次に、実施形態３−１のサーキュレータと、従来技術のサーキュレータを比較する。
【０２９０】
実施形態３−１のサーキュレータは、実施形態１−１の吹出口がサーキュレータの後面側（背面側）の壁面に対向するように設けられている。すなわち、実施形態３−１のサーキュレータでは、実施形態１−１のサーキュレータよりも吹出口から放出される音の回折効果が高まり、低騒音化することができる。
【０２９１】
従って、実施形態３−１のサーキュレータは、従来技術のサーキュレータに比べて、風量が約４ｍ３／ｍｉｎのとき、約４．５ｄＢの低騒音化ができる。
【０２９２】
次に、実施形態３−２のサーキュレータと従来技術のサーキュレータを比較する。
【０２９３】
実施形態３−２のサーキュレータは、実施形態１−１の吹出流通路を人が存在する空間と反対方向に屈曲させ、吹出口がサーキュレータの後面側（背面側）の壁面に対向するように設けられている。すなわち、実施形態３−２のサーキュレータでは、吹出流通路を滑らかに屈曲させているので、吹出流通路のある部分で急激に風向を変更されることなく、吹出流通路を流通する間に徐々に滑らかに風向を変更されるため、実施形態１−１のサーキュレータよりも吹出流通路の流路抵抗の増加を抑制できる。また、吹出口がサーキュレータの後面側（背面側）の壁面に対向するように設けられているので、実施形態１−１のサーキュレータよりも吹出口から放出される音の回折効果が高まり、実施形態３−１とほぼ同様の低騒音化の効果が得られる。
【０２９４】
従って、実施形態３−２のサーキュレータは、実施形態１−１のサーキュレータよりも吹出流通路の流路抵抗の増加を抑制でき、実施形態３−１のサーキュレータとほぼ同様の低騒音化の効果が得られるため、従来技術のサーキュレータに比べて、風量が約４ｍ３／ｍｉｎのとき、約４．５ｄＢの低騒音化ができる。
【０２９５】
次に、実施形態１−２のサーキュレータと従来技術のサーキュレータを比較する。
【０２９６】
実施形態１−２のサーキュレータは、実施形態１−１の送風機とシロッコファンの部分の送風経路が吹出流通路と同様に傾斜しているため、実施形態１−１よりも吹出流通路内での反射、干渉による効果は損なわれるが、従来技術のサーキュレータに比べて、風量が約４ｍ３／ｍｉｎのとき、約３ｄＢの低騒音化ができる。
【０２９７】
次に、比較の形態のサーキュレータと従来技術のサーキュレータを比較する。
【０２９８】
比較の形態のサーキュレータは、実施形態１−１の吹出流通路を人が存在する空間側へ傾斜させているため、吹出口から放出される音の回折効果は大きく損なわれるが、従来技術のサーキュレータに比べて、風量が約４ｍ３／ｍｉｎのとき、約２ｄＢの低騒音化ができる。
【０２９９】
最後に、本発明のサーキュレータの設置方法について説明する。サーキュレータの構成は図１〜図３に示す第１の実施形態と同一である。本発明のサーキュレータの設置方法においては、上述したように、気流の鉛直上方に対する角度と、部屋の側壁面との位置関係が極めて重要である。
【０３００】
上記のサーキュレータは、吹出口から送出される空気の進行方向と、吹出口から送出される空気が最初に壁面に衝突した後に空気が壁面に沿って進行する方向とのなす角度が鈍角になるように配置される。言い換えれば、吹出口から送出される空気の流束（流れの束）と、吹出口から送出される空気が最初に壁面に衝突する箇所における空気の流束とを連通して空気が流通する気流の流束を含んだ面と、側壁面とのなす角度の大きさは、温度ムラを解消したい空間側に鈍角となるように、サーキュレータが配置される。そして、上記の角度の大きさは、温度ムラを解消したい空間（居住空間、人が存在する空間）側に１４５°〜１７０°の範囲となるように配置される。
【０３０１】
また、上記のサーキュレータは、吹出口から送出される空気の流束（流れの束）と、吹出口から送出される空気が最初に壁面に衝突する箇所における空気の流束とを連通して空気が流通する気流の流束を含んだ面で、サーキュレータが設置された部屋に内包する空間を２分割したとき、２分割された空間のうち大きい方の空間に使用者の居住領域が配され、かつ、最初に壁面に衝突した後の気流の主たる進行方向が２分割された空間のうち大きい方になるように配置される。また、吸込口は、２分割された空間のうち小さい方の空間に面するように設けられる。
【０３０２】
上記の配置によれば、第１の実施形態に記載のサーキュレータの効果を確実に得ることができる。
【０３０３】
以上により、本発明に係るサーキュレータを第１〜第４の実施形態により説明したが、本発明は上記の実施形態に限定されるわけではなく、本発明の趣旨を逸脱しない範囲で適宜の変更を加えて実施することができる。
【０３０４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０３０５】
【図１】本実施形態のサーキュレータを模式的に示す側面断面図である。
【図２】図１に示されるサーキュレータの吹出流通路を拡大して示す部分側面断面図である。
【図３】図２のＩＩＩＡ方向から見た吹出流通路を示す断面図（Ａ）と、図２の吹出流通路において角度関係を示す断面図（Ｂ）である。
【図４】空気調和機とサーキュレータの配置を示す図である。
【図５】サーキュレータの駆動を停止した場合の図である。
【図６】本発明のサーキュレータを運転した場合の図である。
【図７】従来のサーキュレータを運転した場合の図（断面Ｚ）である。
【図８】サーキュレータを停止した場合の図である。
【図９】本発明のサーキュレータを運転した場合の図である。
【図１０】従来のサーキュレータを運転した場合の図（断面Ｚ）である。
【図１１】サーキュレータの配置とサーキュレータによる風速を測定する測定位置を示す図である。
【図１２】風速の測定結果を示す図である。
【図１３】サーキュレータの配置とサーキュレータによる風速を測定する測定位置を示す図である。
【図１４】進行方向計測点■と横方向測定点▲における風速の測定結果を示す図である。
【図１５】サーキュレータの配置とサーキュレータによる風速を測定する測定位置を示す図である。
【図１６】風速の測定結果を示す図である。
【図１７】従来技術のサーキュレータの室内気流を模式的に示した断面図である。
【図１８】従来技術のサーキュレータの室内気流（壁面に沿った気流）を模式的に示した展開図である。
【図１９】本発明のサーキュレータの室内気流を模式的に示した断面図である。
【図２０】本発明のサーキュレータの室内気流（壁面に沿った気流）を模式的に示した展開図である。
【図２１】実施形態１−２のサーキュレータを模式的に示す側面断面図である。
【図２２】実施形態２−１のサーキュレータを模式的に示す側面断面図である。
【図２３】実施形態２−２のサーキュレータを模式的に示す側面断面図である。
【図２４】実施形態２−３のサーキュレータを模式的に示す側面断面図である。
【図２５】実施形態３−１のサーキュレータを模式的に示す側面断面図である。
【図２６】実施形態３−２のサーキュレータを模式的に示す側面断面図である。
【図２７】実施形態４−１のサーキュレータを模式的に示す側面断面図である。
【図２８】実施形態４−２のサーキュレータを模式的に示す側面断面図である。
【図２９】本発明の比較の形態のサーキュレータを模式的に示す側面断面図である。
【図３０】従来のサーキュレータの一例を模式的に示す側面断面図である。
【図３１】従来のサーキュレータの一例を模式的に示す側面断面図である。
【符号の説明】
【０３０６】
１〜９：サーキュレータ、１００，２００，８００：筐体、１１０，２１０，８１０：前面、１２０，２２０，８２０：後面、１３０，２３０，８３０：頂面、１２２，２２２，８２２：吸込口、１３１，１３１ａ，１３１ｂ、２３１，８３１：吹出口、１７０，２７０，８７０：送風機、１７１，２７１，８７１：シロッコファン、１５０，２５０，８５０：エアフィルタ、１８０，１８０ｘ、１８０ｙ、２８０，８８０：吹出流通路、１９０：操作部。
【図１】
2009250550.tif 000007
【図２】
2009250550.tif 000008
【図３】
2009250550.tif 000009
【図４】
2009250550.tif 000010
【図５】
2009250550.tif 000011
【図６】
2009250550.tif 000012
【図７】
2009250550.tif 000013
【図８】
2009250550.tif 000014
【図９】
2009250550.tif 000015
【図１０】
2009250550.tif 000016
【図１１】
2009250550.tif 000017
【図１２】
2009250550.tif 000018
【図１３】
2009250550.tif 000019
【図１４】
2009250550.tif 000020
【図１５】
2009250550.tif 000021
【図１６】
2009250550.tif 000022
【図１７】
2009250550.tif 000023
【図１８】
2009250550.tif 000024
【図１９】
2009250550.tif 000025
【図２０】
2009250550.tif 000026
【図２１】
2009250550.tif 000027
【図２２】
2009250550.tif 000028
【図２３】
2009250550.tif 000029
【図２４】
2009250550.tif 000030
【図２５】
2009250550.tif 000031
【図２６】
2009250550.tif 000032
【図２７】
2009250550.tif 000033
【図２８】
2009250550.tif 000034
【図２９】
2009250550.tif 000035
【図３０】
2009250550.tif 000036
【図３１】
2009250550.tif 000037